(57)【要約】      （修正有）【課題】低周波電流、電磁波及び／又は音波を利用して、疾病を効果的に治療することができる波動治療方法及び装置を提供する。【解決手段】波動治療装置の発振器１２の発振周波数を、周波数制御装置１８により、疫病の種類に応じて複数選択し、かつ、その周波数の波動を、低周波側から順次高く変更して設定時間ずつ発振させる。低周波電流であれば、治療電極１４と不関電極１６とから、電磁波であれば、発振コイルから、音波であれば、音波発振器から、それぞれ同時又は別個に発振させて、人体に注入する。【選択図】図１
2005230567.tif 000002
【特許請求の範囲】
【請求項１】
波動電流、電磁波及び音波の少なくとも一つの波動を人体に印加して治療する波動治療方法において、
前記波動の周波数を、１４、１６、１９、２１、２５、２７、５９、６１、７１、７３、９４、９６、１１９、１２１、１２４、１２６、１５９、１６１、４４１、４４７、４４９、４６４、４６６、４９９、５０１、５９９、６０１、６２４、６２６、６５９、６６１、６６５、６６７、６８９、６９１、６９９、７０１、７２４、７２６、７２７、７２８、７２９、７３１、７３９、７４１、７６９、７７１、７７５、７７７、７８６、７８８、７８９、７９１、７９９、８００、８０１、８０２、８０３、８０４、８０５、８３１、８３９、８７４、８７６、８７９、８８１、８８４、８８６、８９１、１４９９、１５０１、１５４９、１５５１、１５５９、１５６１、１５６９、１５７１、１５９９、１６０１、１７９９、１８０１、１８３９、１８４１、１８４９、１８５１、１８９９、１９０１、１９９７、１９９９、２００１、２００７、２００９、２０５１、２０９９、２１０１、２１２１、２１２６、２１２７、２１２８、２１２９、２１３１、２４８８、２４８９、２４９０、２４９１、２９９９、３００１、４９９９、５００１、９９９９及び１０００１Ｈｚのうち少なくとも２種類を疾病に応じて選択し、且つ、周波数を一定時間毎に順次高くして治療することを特徴とする波動治療方法。
【請求項２】
請求項１において、まず基礎的治療として、１９、６１、９６、１２４、６６７、７２６、７４１、７８６、７９１、８７９、及び１０００１Ｈｚの周波数の波動を、この順で用いて治療すると共に、次に、疾病の種類に応じて選択された周波数の波動により治療することを特徴とする波動治療方法。
【請求項３】
請求項１又は２において、前記選択された各周波数の波動電流を、各々２〜５分間づつ人体に印加して治療することを特徴とする波動治療方法。
【請求項４】
請求項１乃至３のいずれかにおいて、前記選択された周波数を切替える際に、０〜１分の休止時間を設けることを特徴とする波動治療方法。
【請求項５】
請求項１乃至４のいずれかにおいて、前記選択された周波数のうち最低周波数を１４Ｈｚとしたことを特徴とする波動治療方法。
【請求項６】
請求項１ないし５のいずれかにおいて、前記周波数は、疾病が後天性免疫不全症の場合、２１、５９、７３、９４、９９、１２１、１２６、４４７、４４９、４６４、４６６、４９９、５９９、６２６、６５９、６６７、７２８、７３９、７７７、７８８、７９１、７９９、８０２、８０５、８８１、１４９９、１５４９、１５７１、１６０１、１７９９．１８３９、１９９９、２００１、２００９、２１２８、２４８８、２４８９、２４９０、２４９１、４９９９及び９９９９Ｈｚのうち少なくとも２種類としたことを特徴とする波動治療方法。
【請求項７】
請求項１ないし５のいずれかにおいて、前記周波数は、疾病がアレルギーの場合、６６７、７２６、７４１、７８６、７９１、８７９、４９９９及び５００１Ｈｚのうち少なくとも２種類としたことを特徴とする波動治療方法。
【請求項８】
請求項１ないし５のいずれかにおいて、前記周波数は、疾病が動脈硬化症の場合、２１、６１、７１、９６、１２４、６６５、７２８、７４１、７８８、７９１、８８１、４９９９、５００１、９９９９及び１０００１Ｈｚのうち少なくとも２種類としたことを特徴とする波動治療方法。
【請求項９】
請求項１ないし５のいずれかにおいて、前記周波数は、疾病が関節炎の場合、１９、２１、５９、７１、９４、１２６、６６７、７２６、７３９、７８６、７９１、８０１、８８１、１５０１、１８４１、１９９９、２００１、２００７、２１２６、４９９９、５００１、９９９９及び１０００１Ｈｚのうち少なくとも２種類としたことを特徴とする波動治療方法。
【請求項１０】
請求項１ないし５のいずれかにおいて、前記周波数は、疾病が嘆息の場合、６６７、７２８、７４１、７８８、７８９及び８８１Ｈｚのうち少なくとも２種類としたことを特徴とする波動治療方法。
【請求項１１】
請求項１ないし５のいずれかにおいて、前記周波数は、疾病が低血圧の場合、６１、９６、１２４、６６７、７２６、７４１、７８６、７９１、８７９及び１０００１Ｈｚのうち少なくとも２種類としたことを特徴とする波動治療方法。
【請求項１２】
請求項１ないし５のいずれかにおいて、前記周波数は、疾病が腫れ物、おできの場合、１９、２１、５９、７１、９４、１２４、６６７、７２８、７３９、７８６、７９１及び８７９Ｈｚのうち少なくとも２種類としたことを特徴とする波動治療方法。
【請求項１３】
請求項１ないし５のいずれかにおいて、前記周波数は、疾病が肺炎の場合、６６５、７２８、７４１、７７７、７９１及び８８１Ｈｚのうち少なくとも２種類としたことを特徴とする波動治療方法。
【請求項１４】
請求項１ないし５のいずれかにおいて、前記周波数は、疾病が気管支炎の場合、６６７、７２８、７４１及び８７９Ｈｚのうち少なくとも２種類としたことを特徴とする波動治療方法。
【請求項１５】
請求項１ないし５のいずれかにおいて、前記周波数は、疾病が癌（肉腫）の場合、１９９９、２００１、２００７、２００９、２１２６及び２１２８Ｈｚのうち少なくとも２種類としたことを特徴とする波動治療方法。
【請求項１６】
請求項１ないし５のいずれかにおいて、前記周波数は、疾病が癌腫の場合、２１２１、２１２６及び２１３１Ｈｚのうち少なくとも２種類としたことを特徴とする波動治療方法。
【請求項１７】
請求項１ないし５のいずれかにおいて、前記周波数は、疾病が白内障の場合、６６７、７２６、７４１、７８８、７９１、８７９、４９９９、５００１、９９９９及び１０００１Ｈｚのうち少なくとも２種類としたことを特徴とする波動治療方法。
【請求項１８】
請求項１ないし５のいずれかにおいて、前記周波数は、疾病がかぜ、咳の場合、６６５、７２７、７２９、７４１、７８８、７９１、８０１、８８１、４９９９、５００１、９９９９及び１０００１Ｈｚのうち少なくとも２種類としたことを特徴とする波動治療方法。
【請求項１９】
請求項１ないし５のいずれかにおいて、前記周波数は、疾病が腹痛の場合、１９、６１、７３、９６、１２４、６６７、７２８、７３９、７８８、７８９、７９１、７９９、８０１及び８８１Ｈｚのうち少なくとも２種類としたことを特徴とする波動治療方法。
【請求項２０】
請求項１ないし５のいずれかにおいて、前記周波数は、疾病が大腸炎の場合、２１、５９、７１、９４、１２６、６６５、７２６、７４１、７８６、７８９、７９９、８０１、８８１、９９９９及びＨｚ１０００１のうち少なくとも２種類としたことを特徴とする波動治療方法。
【請求項２１】
請求項１ないし５のいずれかにおいて、前記周波数は、疾病が便秘の場合、１９、５９、７３、９６、１２６、６６７、７２８、７４１、７８６、７８９、７９１、７９９、８０１及び８８１Ｈｚのうち少なくとも２種類としたことを特徴とする波動治療方法。
【請求項２２】
請求項１ないし５のいずれかにおいて、前記周波数は、疾病が膀胱炎（膀胱炎症）の場合、２１、６１、７１、９４、１２６、６６５、７３９、７８８、７９１、７９９、８０１、８８１、４９９９、９９９９及びＨｚ１０００１のうち少なくとも２種類としたことを特徴とする波動治療方法。
【請求項２３】
請求項１ないし５のいずれかにおいて、前記周波数は、疾病が糖尿病の場合、２１、５９、７３、９４、１２６、６６５、７２８、７８６、７９１、７９９、８８１、４９９９、９９９９及び１０００１Ｈｚのうち少なくとも２種類としたことを特徴とする波動治療方法。
【請求項２４】
請求項１ないし５のいずれかにおいて、前記周波数は、疾病が十二指腸潰瘍の場合、６６７、７２６、７２８、７４１、７８６、７８８、７９１、８７９、８８１、９９９９及び１０００１Ｈｚのうち少なくとも２種類としたことを特徴とする波動治療方法。
【請求項２５】
請求項１ないし５のいずれかにおいて、前記周波数は、疾病が浮腫、肺水腫の場合、６６５、７２６、７２８、７４１、７８６、７８８、７８９、８７９及び８８１Ｈｚのうち少なくとも２種類としたことを特徴とする波動治療方法。
【請求項２６】
請求項１ないし５のいずれかにおいて、前記周波数は、疾病がインフルエンザの場合、１９、６１、７１、９４、１２４、６６７、７２８、７４１、７８６、７９１、７９９、８０１及び８８１Ｈｚのうち少なくとも２種類としたことを特徴とする波動治療方法。
【請求項２７】
請求項１ないし５のいずれかにおいて、前記周波数は、疾病が胆石の場合、１９、２１、６１、７１、９４、１２４、６６７、７２８、７４１、７８８、７８９、８８１及び４９９９Ｈｚのうち少なくとも２種類としたことを特徴とする波動治療方法。
【請求項２８】
請求項１ないし５のいずれかにおいて、前記周波数は、疾病が胆嚢の場合、１９、２１、６１、７１、９４、１２４、６６７、７２８、７４１、７８８、７８９、８８１、４９９９及び５００１Ｈｚのうち少なくとも２種類としたことを特徴とする波動治療方法。
【請求項２９】
請求項１ないし５のいずれかにおいて、前記周波数は、疾病が痛風の場合、１９、２１、６１、７１、９４、１２４、６６７、７２８、７４１、７８８、７８９、８８１、４９９９、９９９９及び１０００１Ｈｚのうち少なくとも２種類としたことを特徴とする波動治療方法。
【請求項３０】
請求項１ないし５のいずれかにおいて、前記周波数は、疾病が痔疾患の場合、１９、２１、５９、７１、９６、１２６、６６７、７２８、７４１、７８９、７９９、８０１、８７９及び８８１Ｈｚのうち少なくとも２種類としたことを特徴とする波動治療方法。
【請求項３１】
請求項１ないし５のいずれかにおいて、前記周波数は、疾病が肝炎（肝臓の炎症）の場合、６６５、７２６、７２７、７２９、７４１、７９１、８０１、８７９及び８８１Ｈｚのうち少なくとも２種類としたことを特徴とする波動治療方法。
【請求項３２】
請求項１ないし５のいずれかにおいて、前記周波数は、疾病がヘルニアの場合、６６７、７２６、７３９、７８８、７８９、４９９９及び５００１Ｈｚのうち少なくとも２種類としたことを特徴とする波動治療方法。
【請求項３３】
請求項１ないし５のいずれかにおいて、前記周波数は、疾病が高血圧の場合、１９、２１、６１、７３、９６、１２６、６６７、７２８、７４１、７８８、７９１、８８１、９９９９及び１０００１Ｈｚのうち少なくとも２種類としたことを特徴とする波動治療方法。
【請求項３４】
請求項１ないし５のいずれかにおいて、前記周波数は、疾病が肋間神経痛の場合、６６５、７２８、７４１、７８８、７９１、７９９、８０１、８８１、９９９９及び１０００１Ｈｚのうち少なくとも２種類としたことを特徴とする波動治療方法。
【請求項３５】
請求項１ないし５のいずれかにおいて、前記周波数は、疾病が白血病、がんの場合、６６５、７２８、７３９、７８６、７９１、７７９、１９９９、２００１、２００９、２１２６及び２１２８Ｈｚのうち少なくとも２種類としたことを特徴とする波動治療方法。
【請求項３６】
請求項１ないし５のいずれかにおいて、前記周波数は、疾病が腰痛の場合、６６７、７２８、７４１、７８８、７９１、８８１、９９９９及び１０００１Ｈｚのうち少なくとも２種類としたことを特徴とする波動治療方法。
【請求項３７】
請求項１ないし５のいずれかにおいて、前記周波数は、疾病がメニエール病の場合、１９、２１、６１、７１、９６、１２６、６６７、７２８、７４１、７８８、７９１、８７９、８８１、４９９９、５００１９９９９及び１０００１Ｈｚのうち少なくとも２種類としたことを特徴とする波動治療方法。
【請求項３８】
請求項１ないし５のいずれかにおいて、前記周波数は、疾病が腎炎の場合、１９、２１、６１、７３、９６、１２６、６６７、７２８、７４１、７８８、７９１、７９９、８８１、９９９９及び１０００１Ｈｚのうち少なくとも２種類としたことを特徴とする波動治療方法。
【請求項３９】
請求項１ないし５のいずれかにおいて、前記周波数は、疾病が神経痛の場合、２１、６１、７３、９６、１２６、６６７、７２６、７４１、７８８、８７９、９９９９及び１０００１Ｈｚのうち少なくとも２種類としたことを特徴とする波動治療方法。
【請求項４０】
請求項１ないし５のいずれかにおいて、前記周波数は、疾病がパーキンソン病の場合、６６７、７２６、７４１、７８６、７９１、８７９、１５０１、１５４９、１５５１、１６０１、１８３９、１９９９、２００１、４９９９及び５００１Ｈｚのうち少なくとも２種類としたことを特徴とする波動治療方法。
【請求項４１】
請求項１ないし５のいずれかにおいて、前記周波数は、疾病が肺炎の場合、１９、２１、７１、９４、１２４、６６５、７２６、７４１、７６９、７７１、７７５、７７７、７８８、７９１、８７９、８８１、４９９９及び５００１Ｈｚのうち少なくとも２種類としたことを特徴とする波動治療方法。
【請求項４２】
請求項１ないし５のいずれかにおいて、前記周波数は、疾病がリウマチ、関節炎の場合、１９、５９、７１、９４、１２４、５９９、６５９、６６７、７２８、７３９、７８８、７９１、８０１、８８１、１５０１、１５４９、１，６０１、１，８３９、１，９９９、２００１、２００７、２１２８、２１２９、４９９９、９９９９及びＨｚ１０００１のうち少なくとも２種類としたことを特徴とする波動治療方法。
【請求項４３】
請求項１ないし５のいずれかにおいて、前記周波数は、疾病が咽頭炎の場合、６６５、７２６、７２７、７２９、７３９、７８６、７８８、７８９、８７９及び８８１Ｈｚのうち少なくとも２種類としたことを特徴とする波動治療方法。
【請求項４４】
請求項１ないし５のいずれかにおいて、前記周波数は、疾病が腎臓胆嚢の結石の場合、６６５、７２８、７９１、８０１、８８１、９９９９及び１０００１Ｈｚのうち少なくとも２種類としたことを特徴とする波動治療方法。
【請求項４５】
請求項１ないし５のいずれかにおいて、前記周波数は、疾病が扁桃腺炎の場合、１９、２１、６１、７３、９６、１２６、６６７、７２８、７４１、７８８、７９９、８０１、８８１及び５００１Ｈｚのうち少なくとも２種類としたことを特徴とする波動治療方法。
【請求項４６】
請求項１ないし５のいずれかにおいて、前記周波数は、疾病が歯痛の場合、１９、２１、６６７、７２８、７４１、７８８、７９１、８８１及び４９９９Ｈｚのうち少なくとも２種類としたことを特徴とする波動治療方法。
【請求項４７】
請求項１ないし５のいずれかにおいて、前記周波数は、疾病が結核の場合、１９、２１、６１、７１、９４、１２６、６６７、７２８、７４１、７８８、７９１、７９９、８０１、１４９９、１５０１、１５４９、１５５１、１５９９及び１６０１Ｈｚのうち少なくとも２種類としたことを特徴とする波動治療方法。
【請求項４８】
請求項１ないし５のいずれかにおいて、前記周波数は、疾病がむちうち症の場合、１９、２１、６１、７３、９６、１２６、９９９９及び１０００１Ｈｚのうち少なくとも２種類としたことを特徴とする波動治療方法。
【請求項４９】
請求項１ないし４８のいずれかにおいて、前記生体に通電する周波数を、前記選択された周波数のプラス・マイナス３Ｈｚの範囲としたことを特徴とする波動治療方法。
【請求項５０】
請求項１乃至４９のいずれかにおいて、生体における患部を間にして一対の電極を皮膚に接触させ、ここから低周波電流を印加することを特徴とする波動治療方法。
【請求項５１】
請求項１乃至４９のいずれかにおいて、人体に接近した位置に、低周波発振器の発振コイルを少なくとも１個配置し、この発振コイルから１４〜１０００１Ｈｚの間の少なくとも一部の範囲の周波数の電磁波を、一定時間毎に順次高くして人体に向けて発振し、治療することを特徴とする低周波治療方法。
【請求項５２】
請求項５２において、前記発振コイルから発振される電磁波の強度を、その電磁場中の人体の表皮における電圧が最大３０Ｖ、電流が最大５０ｍＡとなるようにしたことを特徴とする波動治療方法。
【請求項５３】
請求項１乃至４９のいずれかにおいて、前記周波数の音波を患者の耳及び皮膚の少なくとも一方から生体に注入することを特徴とする波動治療方法。
【請求項５４】
請求項１ないし５３のいずれかにおいて、前記低周波電流及び電磁波の一方と音波とを同一の周波数で、且つ同期して人体に注入することを特徴とする波動治療方法。
【請求項５５】
治療すべき部位に当てる治療電極と、この治療電極に対となって生体に当てられ、該生体に通電するための不関電極を含み、これら電極間に低周波の低電流の波動を印加する低周波電流印加装置と、生体の治療すべき部位に接近して配置され得る少なくとも一個の発振コイルを備え、この発振コイルに低周波の電流による電磁波を発振させ、その波動を生体に印可させる電磁波印加装置と、音波発振器により発振した音波を生体の耳及び皮膚の少なくとも一方に注入する音波印加装置と、のうちの少なくとも一つを有してなり、前記波動の周波数は、発振により発生される波動治療装置において、
前記発振器は、発振周波数を予め設定された複数種類の周波数から選択して、波動側から、一定時間毎に、順次高く変更する周波数制御装置を備え、前記周波数制御装置は、疾病の種類毎に、これに対応して予め選択された複数種類の周波数の情報を記憶するメモリー部と、疾病の種類に応じて入力される指示信号に応じて、前記対応する複数種類の周波数の情報を前記メモリー部から読み出し、該読み出した周波数の情報に基づき前記発振器の発振周波数を順次変更させる選択信号出力部と、を有してなり、前記複数種類の周波数は、１４、１６、１９、２１、２５、２７、５９、６１、７１、７３、９４、９６、１１９、１２１、１２４、１２６、１５９、１６１、４４１、４４７、４４９、４６４、４６６、４９９、５０１、５９９、６０１、６２４、６２６、６５９、６６１、６６５、６６７、６８９、６９１、６９９、７０１、７２４、７２６、７２７、７２８、７２９、７３１、７３９、７４１、７６９、７７１、７７５、７７７、７８６、７８８、７８９、７９１、７９９、８００、８０１、８０２、８０３、８０４、８０５、８３１、８３９、８７４、８７６、８７９、８８１、８８４、８８６、８９１、１４９９、１５０１、１５４９、１５５１、１５５９、１５６１、１５６９、１５７１、１５９９、１６０１、１７９９、１８０１、１８３９、１８４１、１８４９、１８５１、１８９９、１９０１、１９９７、１９９９、２００１、２００７、２００９、２０５１、２０９９、２１０１、２１２１、２１２６、２１２７、２１２８、２１２９、２１３１、２４８８、２４８９、２４９０、２４９１、２９９９、３００１、４９９９、５００１、９９９９及び１０００１Ｈｚのうちの少なくとも２種類であることを特徴とする波動治療装置。
【請求項５６】
請求項５５において、各疾病の治療に先立つ基礎的治療のため周波数を、１９、６１、９６、１２４、６６７、７２６、７４１、７８６、７９１、８７９、及び１０００１Ｈｚとしたことを特徴とする波動治療装置。
【請求項５７】
請求項５５又は５６において、前記周波数は各疾病毎に次のように選択され、前記メモリー部には、下記のうち少なくとも１種類の疾病について、選択された複数の周波数のうちの少なくとも２つの周波数の情報が記憶されたことを特徴とする波動治療装置。
膿瘍、腫物；１９、２１、５９、７３、９４、１２６、６６５、７２８、７３９、７８８、７８９、８８１、にきび；６６５、７２８、７３９、７８８、７８９、８８１、４９９９、アクチノミコーゼ；１９、６１、７１、９６、１２４、６６７、７２６、７４１、７８６、７９１、８７９、８９１、劇痛；８７９、９９９９、１０００１、アデノイド；１９、６１、７１、９６、１２４、６６７、７２６、７４１、７８６、７９１、７９９、８８１、癒着；６６５、７２８、７３９、７８８、７９１、８８１、４９９９、後天性免疫不全症；２１、５９、７３、９４、９９、１２１、１２６、４４７、４４９、４６４、４６６、４９９、５９９、６２６、６５９、６６７、７２８、７３９、７７７、７８８、７９１、７９９、８０２、８０５、８８１、１４９９、１５４９、１５７１、１６０１、１７９９、１８３９、１９９９、２００１、２００９、２１２８、２４８８、２４８９、２４９０、２４９１、４９９９、９９９９、アルコール中毒；６６５、７２６、７４１、７８６、７９１、８８１、９９９９、１０００１、アレルギー；６６７、７２６、７４１、７８６、７９１、８７９、４９９９、５００１、禿頭病（ｈａｉｒ  ｌｏｓｓ）；６６５、７２８、７４１、７８６、７９１、８７９、９９９９、１０００１、無月経（月経不首尾）；６６５、７２８、７４１、７８８、７９１、８８１、９９９９、１０００１、貧血症；１９、６１、９６、１２４、６６７、７２６、７４１、７８６、７９１、８７９、４９９９、１０００１、動脈瘤；１９、２１、６１、７１、９４、１２６、４９９９、５００１、肛門（かゆみ）；２１、５９、７３、９４、１２４、７２６、７８８、７９１、８７９、９９９９、１０００１、脾脱疽、炭疽熱（家畜の伝染病）；６６５、７２８、７３９、７８８、７９１、８７９、殺菌、滅菌；６６５、７２６、７４１、７８６、７８９、８８１、５００１、食欲不振；６６５、７２６、７３９、７８６、７８９、８７９、１０００１、エイズ関連症候群；６２６、６６１、動脈（硬化）；２１、６１、７３、９５、１２４、６６５、７２６、７４１、７８８、７９１、８８１、４９９９、９９９９、動脈（ｓｔｉｍｕｌａｔｅ）；６６５、７２８、７４１、７８８、７９１、８０１、８７９、９９９９、１０００１、動脈硬化症；２１、６１、７１、９６、１２４、６６５、７２８、７４１、７８８、７９１、８８１、４９９９、５００１、９９９９、１０００１、関節炎；１９、２１、５９、７１、９４、１２６、６６７、７２６、７３９、７８６、７９１、８０１、８８１、１５０１、１８４１、１９９９、２００１、２００７、２１２６、４９９９、５００１、９９９９、１０００１、運動失調症（筋肉）；６６５、７２６、７３９、７８８、７９１、８８１、４９９９、５００１、９９９９、１０００１、水虫；２１、５９、７３、９６、１２４、６６５、７２６、７４１、７８６、７９１、８７９、５００１、喘息；６６７、７２８、７４１、７８８、７８９、８８１、脳、脊髄の星形細胞；６６５、７２８、７４１、７８６、７８９、８７９、１９９９、２００１、２００７、２００９、２１２６、２１２８、自家中毒；６６５、７２６、７３９、７８８、７９１、８７９、９９���９、１０００１、桿ウィルス；６６５、７２６、７３９、７８６、７８９、８０１、８０２、８０４、５００１、背中の痛み；６６７、７２８、７４１、７８８、７９１、８８１、９９９９、１０００１、不正呼吸；１９、２１、６１、７３、９６、１２６、４９９９、５００１、短気（おこりっぽい）；６６７、７２６、７４１、７８６、７８９、８８１、５００１、９９９９、１０００１、火ぶくれ、水ぶくれ；１９、６１、７３、９６、１２６、６６７、７２８、７３９、８７９、水ぶくれ、水泡；９９９９、血液の病気；６６５、７２８、７３９、７８６、７９１、８８１、低血圧；１９、６１、９６、１２４、６６７、７２６、７４１、７８６、７９１、８７９、１０００１、腫れ物、おでき；１９、２１、５９、７１、９４、１２４、６６７、７２８、７３９、７８６、７９１、８７９、腫れ物（かぶれ、感染）；１９、２１、５９、７３、９６、１２６、６６７、７２８、７４１、７８８、７８９、８８１、４９９９、５００１、骨（ひび、骨折）；１９、６１、９６、１２４、６６７、７２６、７４１、７８６、７９１、８７９、１０００１、胸の腫瘍；２００７、２１２７、２１２９、胸部；１９、６１、９６、１２４、６６７、７２６、７４１、７８６、７９１、８７９、４９９９、１０００１、呼吸；１９、６１、９６、１２４、６６７、７２６、７４１、７８６、７９１、８７９、５００１、１０００１、肺炎；６６５、７２８、７４１、７７７、７９１、８８１、気管支炎；６６７、７２８、７４１、８７９、打撲、傷、打ち身；６６７、７２６、７４１、７９１、８８１、９９９９、１０００１、腺ペスト、伝染病；１９、６１、７３、９４、１２４、４９９、５０１、４９９９、外反拇趾の痛み；１９、２１、６１、７３、９４、１２４、６６７、７２６、７３９、７８８、７９１、４９９９、５００１、やけど（放熱）；２１２６、９９９９、１０００１、やけど（熱）；１９、６１、９６、１２４、６６７、７２６、７４１、７８６、７９１、８７９、１０００１、滑液嚢炎；６６５、７２６、７３９、７８６、７９１、８８１、蝶型紅班性狼瘡；６６５、７２８、７３９、７７５、７７７、７８８、７９１、１８４１、１８４９、菌状腫、海綿腫、魚の皮膚病；４６６、２１２８、にきび、吹き出物；２１、６１、７３、９４、１２６、６６７、７２８、７３９、７８８、７９１、８８１、４９９９、５００１、心臓病（鎮静の効果あり）；６６５、７２８、７３９、７８６、７８９、８８１、４９９９、５０００、９９９９、１０００１、白内障；６６７、７２６、７４１、７８８、７９１、８７９、４９９９、５００１、９９９９、１０００１、カタル（鼻喉の粘膜の炎症）；１９、２１、５９、７３、９６、１２４、６６５、７２６、７４１、７８８、７８９、８７９、脳性小児マヒ；６６５、７２６、７３９、７８８、７９１、８８１、９９９９、１０００１、脳脊髄膜炎；６６７、７２８、７４１、７８６、７８９、８７９、９９９９、１００００、頸部の腺（こぶ、腫れ物）；６６７、７２８、７４１、７８６、７８９、８７９、４９９９、５００１、子宮頚管炎；１９、５９、７３、９６、１２４、６６５、７２８、７４１、７８８、７９１、８７９、水疱瘡、１９、２１、６���、７１、９４、１２６、６６７、７２８、７３９、７８６、７８９、８８１、しもやけ、凍傷；１９、２１、５９、７３、９６、１２６、４９９９、５００１、心身機能の不調；６５、７２８、８８１、冷え性（足）；１９、２１、６１、７３、９４、１２４、４９９９、５００１、冷え性（手）；１９、２１、５９、７１、９６、１２６、４９９９、５００１、かぜ、咳；６６５、７２７、７２９、７４１、７８８、７９１、８０１、８８１、４９９９、５００１、９９９９、１０００１、かぜ（頭）；６６５、７２７、７２９、７３９、７８６、７８９、８８１、４９９９、５００１、結膜炎（まぶた、眼瞼の膨張）；６６５、７２６、７２７、７２９、７４１、７８８、７８９、８０１、８８１、腫れ物収縮、うみ排出；２１、６１、７１、９４、１２４、６６５、７２６、７８８、７９１、８８１、９９９９、１０００１、けいれん、ひきつけ；６６５、７２６、７３９、７８６、７９１、８７９、４９９９、９９９９、１０００１、うおのめ；１９、２１、６１、７１、９４、１２６、６６７、７２６、７４１、７８８、７９１、８７９、４９９９、９９９９、１０００１、鼻風邪；６６７、７２６、７３９、７８８、７９１、８８１、肋骨の痛み；６６７、７２８、７３９、７８８、７９１、８７９、５００１、９９９９、１０００１、けいれん、こむらがえり；６６５、７２６、７４１、７８８、７８９、８８１、４９９９、９９９９、１０００１、切り傷（スピード治療）；１９、２１、５９、７３、９６、１２６、６６７、７２８、７４１、７８８、７９１、８８１、４９９９、５００１、９９９９、頭のふけ；２１、６１、７１、９４、１２６、６６７、７２８、７４１、７８８、７９１、８８１、４９９９、５００１、つんぼ；１９、２１、５９、７３、９６、１２６、６６７、７３９、７８８、７８９、７９９、８０１、８８１、４９９９、９９９９、１０００１、意気消沈、ゆううつ；９９９９、解毒；１９、６１、７１、９４、１２６、下痢（赤痢）；６６５、７２８、７３９、７８８、７８９、８０１、８７９、４９９９、５００１、消化力；６６７、７２６、７４１、７８６、７９１、８７９、４９９９、５００１、ジフテリア；１９、２１、６１、７１、９６、１２４、６６７、７２６、７２８、７３９、７８６、７８８、７９１、８７９、８８１、膨張した器官；２１、５９、７３、９４、１２６、６６５、７２８、７３９、７８８、７８９、８８１、９９９９、１０００１、膨張した胃；６６７、７２６、７４１、７８６、７９１、７９９、８０１、８７９、４９９９、５００１、めまい；１９、２１、６１、７１、９６、１２４、９９９９、１０００１、水踵症；６６５、７２８、７８６、７９１、９９９９、１０００１、薬物中毒；１９、２１、５９、７３、９４、１２６、６６５、７２８、７３９、７８８、７８９、８８１、４９９９、９９９９、１０００１、十二指腸潰瘍；６６７、７２６、７２８、７４１、７８６、７８８、７９１、８７９、８８１、９９９９、１０００１、月経困難（月経痛）；６６５、７２６、７２８、７３９、７８８、７８９、７９９、８７９、８８１、消化不良、胃弱；６６７、７２６、７４１、７８６、７９１、７９９、８０１、８８１、大腸菌；７���１、７９８、８００、８０１、８０２、８０３、８０５、耳；１９、２１、５９、７３、９４、１２６、８７９、８８１、４９９９、５００１、９９９９、湿疹；６６７、７２６、７４１、１４９９、１５０１、１５４９、１５５１、４９９９、浮腫、肺水腫；６６５、７２６、７２８、７４１、７８６、７８８、７８９、８７９、８８１、広がった腺；１９、６１、７１、９６、１２４、６６７、７２６、７４１、７８６、７９１、９９９９、１０００１、寝小便；６６７、７２６、７４１、７８６、７９１、９９９９、１０００１、精巣上体炎、副睾丸炎；１９、２１、５９、７３、９４、１２６、６６５、７２８、７３９、７８８、７８９、８８１、１４９９、１５０１、丹毒（皮膚の炎症）；２１、５９、７３、９４、１２６、５９９、６０１、６６１、６６７、７２８、７４１、７８８、７９１、１９９７、１９９９、２００１、２００９、食道；６６５、７２８、７４１、７８８、７９１、８８１、耳管、鼻、耳；１９、２１、６１、７１、９６、１２４、６６７、７２６、７４１、７８６、７９１、７９９、８０１、８８１、疲れ目；７２８、７８８、８７９、目（全般）；１９、２１、６１、７３、９４、１２６、４９９９、５００１、９９９９、１０００１、顔面まひ；６６５、７２６、７３９、７８８、８８１、４９９９、５００１、９９９９、１０００１、顔のけいれん；６６７、７２８、７４１、７８６、７９１、８７９、９９９９、１０００１、気絶、失神；１９、２１、６１、７１、９４、１２６、６６５、７２８、７３９、７８８、７８９、８８１、４９９９、５００１、筋膜、筋鞘；１９、２１、５９、７３、９６、１２４、６６７、７２６、７４１、７８６、７９１、８７９、４９９９、５００１、疲労；６６５、７３９、７９１、１８４１、１９９９、９９９９、１０００１、熱（全般）；１９、２１、５９、７１、９６、１２６、６６５、７２８、７４１、７８８、７９１、８８１、４９９９、５００１、直腸の亀裂ひび；１９、２１、６１、７３、９４、１２４、６６７、７２６、７３９、７８６、７８９、８７９、９９９９、１０００１、瘻管、瘻（直腸潰瘍）、６６７、７２６、７４１、７８８、７９１、８７９、胃腸内ガス；６６７、７２８、７４１、７８８、７９１、７９９、８０１、８８１、４９９９、５００１、インフルエンザ；１９、６１、７１、９４、１２４、６６７、７２８、７４１、７８６、７９１、７９９、
８０１、８８１、食中毒；６６７、７２６、７３９、７８８、７９１、８７９、９９９９、１０００１、足（普通の傷）；６６５、７２８、７３９、７８８、７９１、８８１、９９９９、１０００１、しもやけ；６６５、７２８、７４１、７８８、７９１、８７９、４９９９、５００１、胆石；１９、２１、６１、７１、９４、１２４、６６７、７２８、７４１、７８８、７８９、８８１、４９９９、胆嚢；１９、２１、６１、７１、９４、１２４、６６７、７２８、７４１、７８８、７８９、８８１、４９９９、５００１、壊疽；１９、２１、６６７、７２６、７２８、７４１、７８６、７８８、７８９、８７９、８８１、４９９９、胃炎；１９、２１、６１、７３、９６、１２４、６６７、７２８、７４１、７８８、７８９、８８１、４９９９、５００１、全ての腺；１９、２１、６１、７３、９６、１２６、７２８、７４１、７８８、７８９、８７９、９９９９、１０００１、緑内障；１９、６１、９６、１２４、６６７、７２６、７４１、７８６、７９１、８７９、１６０１、１０００１、甲状腺腫；１９、２１、５９、７１、９６、１２６、６６７、７２８、７４１、７８８、７９１、８８１、４９９９、５００１、９９９９、１０００１、生殖腺（炎症）；６６７、７２６、７２８、７４１、７８６、７８８、７９１、８７９、８８１、４９９９、淋病、５９９、６０１、６５９、６６１、６６７、６９９、７０１、７２８、７４１、７８８、７８９、８８１、４９９９、痛風、１９、２１、６１、７１、９４、１２４、６６７、７２８、７４１、７８８、７８９、８８１、４９９９、９９９９、１０００１、結砂病（尿中沈殿物）；６６７、７２８、７３９、７８６、７８９、８７９、４９９９、５００１、傷んだ髪；１９、２１、５９、７１、９４、１２６、６６７、７２８、７４１、７９１、８０１、８８１、９９９９、１０００１、幻覚、１９、２１、６１、７３、９６、１２４、６６５、７２６、７４１、７８８、８８１、４９９９、５００１、９９９９、二日酔い；１９、６１、９６、１２４、６６７、７２６、７４１、７８６、７９１、８７９、９９９９、１０００１、枯れ草熱；６６５、７２８、７４１、７８８、７９１、８８１、４９９９、５００１、頭（圧迫）；１９、２１、６１、７３、９６、１２４、６６５、７２６、７３９、７８８、７９１、８７９、４９９９、５００１、頭痛；１９、２１、６１、７３、９６、１２４、６６７、７２６、７４１、７８８、７９１、８８１、９９９９、１０００１、出血；８０１、９９９９、痔疾患；１９、２１、５９、７１、９６、１２６、６６７、７２８、７４１、７８９、７９９、８０１、８７９、８８１、椎間板ヘルニア；６６５、７２８、７４１、７８８、７９１、９９９９、１０００１、ヘルニア；６６７、７２６、７３９、７８８、７８９、４９９９、５００１、ヘルペス（帯状疱疹水泡）；６６５、７２８、７４１、７８８、８７９、１５４９、１５５１、１８４１、１８４９、１８５１、１８９９、１９０１、１９９７、２００１、２００７、しゃっくり；１９、２１、５９、７３、９４、１２４、９９９９、１０００１、おしりの痛み；１９、５９、７１、９４、１２４、６６５、７２８、７４１、７８８、７９１、８８１、４９９９、５００１、じんましん；６６７、７２８、７４１、７８８、７９１、８８１、１７９９、１８０１、４９９９、しゃがれ声；６６５、７２６、７２８、７４１、７８６、７８８、７８９、８７９、８８１、更年期ののぼせ；１９、６１、９６、１２４、６６７、７２６、７４１、７８６、７９１、８７９、９９９９、１０００１、水腫；６６７、７２８、７４１、７８８、７９１、８８１、９９９９、１０００１、胃酸過多；１９、２１、６１、７３、９６、１２６、６６７、７２８、７４１、７８８、７９１、８８１、９９９９、１０００１、高血圧；１９、２１、６１、７３、９６、１２６、６６７、７２８、７４１、７８８、７９１、８８１、９９９９、１０００１、ヒポコンデニー症（ゆううつ病）；１９、２１、６１、７３、９６、１２６、６６７、７２８、７４１、７８８、７９１、８８１、９９９９、１０００１、呼吸困難、低酸素；６６７、７２８、７４１、７８８、７９１、８８１、９９９９、１０００１、結腸の炎症；１９、５９、７１、９６、１２６、６６７、７２８、７４１、７８８、７９１、７９９、８０１、８８１、無力、無気力；１９、６１、９６、１２４、６６７、７２６、７４１、７８６、７９１、８７９、９９９９、１０００１、巨人症；１９、６１、９６、１２４、６６７、７２６、７４１、７８６、７９１、８７９、９９９９１０００１、、消化不良、胃弱；６６５、７２８、７４１、７８８、７９１、８８１、４９９９、５００１、小児マヒ；６６７、７２８、７４１、７８８、７９１、８８１、１４９９、１５０１、１５５１、１５９９、１８４１、１９９９、伝染病；１９、２１、７２６、７２８、７２９、７４１、７８８、７９１、８８１、胸の炎症；６６５、７２８、７３９、７８６、７８９、８８１、４９９９、５００１、インフルエンザ、流行性感冒；１９、２１、６１、７３、９６、１２４、６６５、７２６、７４１、７８８、７９１、７９９、８０１、８７９、８８１、けが；４９９９、５００１、９９９９、虫さされ；６６５、７２６、７２８、７４１、７８８、７９１、８７９、８８１、不眠症；６６７、７２８、７３９、７８８、７９１、８８１、９９９９、１０００１、知能、知性（増すために）；１９、２１、６１、７３、９４、１２４、９９９９、１０００１、肋間神経痛；６６５、７２８、７４１、７８８、７９１、７９９、８０１、８８１、９９９９、１０００１、酔い、興奮；１９、６１、９６、１２４、６６７、７２６、７４１、７８６、７９１、８７９、９９９９、１０００１、怒りっぽい、短気；１９、２１、５９、７３、９４、１２４、４９９９、５００１、９９９９、１０００１、肛門のかゆみ；６６７、７２８、７４１、７８８、７８９、８８１、４９９９、５００１、黄疸；６６７、７２８、７４１、７８８、７９１、８８１、４９９９、５００１、関節（全般的な炎症）；６６７、７２８、７４１、７８８、７９１、８８１、９９９９、１０００１、ひざの痛み；２１、６１、７１、９６、１２６、６６７、７２８、７４１、７８８、７９１、７９９、８０１、８８１、９９９９、乳の分泌増進；１９、６１、９６、１２４、６６７、７２６、７４１、７８６、７９１、８７９、４９９９、１０００１、だるさ、疲労、虚弱；１９、２１、５９、７１、９４、１２４、６６５、７２８、７８８、７９１、８８１、慢性の下痢；１９、６１、７３、９６、１２４、６６７、７２８、７４１、７８８、７９１、７９９、８０１、８８１、ハンセン病；５９９、６０１、６６７、７２６、７３９、７７７、７９１、８８１、９９９９、１０００１、白血球；１９、５９、７３、９６、１２６、６６７、７２８、７４１、４９９９、５００１、膣からの白いおりものの異常分泌；６６５、７２６、７２８、７４１、７８６、７８８、７９１、８７９、８８１、運動失調症；６６７、７２８、７４１、７８８、７９１、８８１、９９９９、１０００１、腰痛；６６７、７２８、７４１、７８８、７９１、８８１、９９９９、１０００１、ゆがんだ腰の脊椎骨；６６７、７２８、７４１、７８８、７９１、８８１、９９９９、１０００１、狼瘡；１４９９、１５４９、１５５１、１６０１、１８４１、１９９７、リンパ組織全般；６６５、７２８、７４１、７８８、７９１、８８１、４９９９、５００１、マラリア；１９、２１、５９、７１、９４、１２６、はしか；６６５、７２６、７２７、７２９、７４１、７８６、７８８、７９１、８７９、８８１、うつ病；１９、６１、９６、１２４、６６７、７２６、７４１、７８６、７９１、８７９、４９９９、１０００１、記憶力；１９、２１、５９、７１、９４、１２４、９９９９、１０００１、メニエール病；１９、２１、６１、７１、９６、１２６、６６７、７２８、７４１、７８８、７９１、８７９、８８１、４９９９、５００１、９９９９、１０００１、髄膜炎、脳膜炎；１９、２１、６１、７３、９６、１２６、４９９９、５００１、月経停止；６６５、７２８、７４１、７８８、７９１、８８１、９９９９、１０００１、月経痛；１９、２５、２７、６１、７３、９６、１２６、知恵遅れ；１９、２１、５９、７３、９６、１２４、９９９９、１０００１、ダウン症；２１、４９９９、口内発疹；１９、２１、５９、７１、９４、１２４、６６５、７２６、７４１、７８８、７９１、８８１、４９９９、便通の病気；１９、９９９９、多発性硬化症；１９、５９、７１、９４、１２４、６６５、７２６、７３９、７８８、７８９、８７９、４９９９、５００１、流行性耳下腺炎（おたふく風邪）；６６５、７２６、７２７、７２９、７４１、７８６、７８８、７９１、８７９、８８１、筋肉（修復）；１９、６１、９６、１２４、６６７、７２６、７４１、７８６、７９１、８７９、４９９９、１０００１、筋ジストロフィー；６６５、７２６、７３９、７８８、７９１、８８１、４９９９、５００１、吐き気、むかつき；６６７、７２８、７４１、７８８、７９１、８８１、４９９９、５００１、首全般；１９、５９、７１、９６、１２４、６６７、７２８、７４１、７８８、７９１、８８１、４９９９、５００１、歯神経炎症；６６７、７２８、７４１、７８８、７９１、８８１、９９９９、１０００１、神経過敏（鎮静効果あり）；４９９９、神経痛；２１、６１、７３、９６、１２６、６６７、７２６、７４１、７８８、８７９、９９９９、１０００１、神経衰弱症（疲労疲れ）；６６５、７２６、７３９、７８６、７９１、８８１、４９９９、５００１、神経炎；６６５、７２６、７３９、７８６、７９１、８８１、９９９９、１０００１、神経症ノイローゼ；６６５、７２６、７３９、７８６、７９１、８８１、９９９９、１０００１、ニコチン中毒；１９、６１、９６、１２４、６６７、７２６、７４１、７８６、７９１、８７９、９９９９、１０００１、鼻の不調；６６５、７２６、７２８、７３９、７８６、７８８、７９１、８８１、肥満；１９、６１、９６、１２４、６６７、７２６、７４１、７８６、７９１、８７９、９９９９、１０００１、後頭部の神経痛；１９、６１、７３、９４、１２４、６６５、７２６、７３９、７８８、７９１、８８１、４９９９、５００１、睾丸炎；６６５、７２８、７４１、７８８、７９１、７９９、７９９、８０１、８８１、骨関節炎；６６５、７２８、７４１、７８８、７９１、８８１、１４９９、１５０１、１５５１、１６０１、１８３９、１９９９、骨髄炎；６６５、７２８、７４１、７８８、７９１、８８１、４９９９、５００１、卵巣全般；７２６、７８８、８８１、苦痛、痛み；６６５、７２８、７３９、７８６、７８９、８８１、１８４１、１９９９、膵臓；１４、１６、１９、６１、７３、９４、１２４、６６５、７２８、７３９、７８８、７９１、８８１、寄生虫；１９、７３、９６、１１９、１２１、１２６、４３９、４４１、４４７、６６５、７２６、７３９、７８６、７９１、７９９、８８１、副甲状腺；６６５、７２６、７２８、７４１、７８６、７８８、７９１、８７９、８８１、骨盤全般；１９、２１、６１、７１、９６、１２６、６５９、６６１、６６５、７２８、７４１、７８８、７９１、８８１、１４９９、１５０１、１５５１、１５９９、１８４１、１９９９、心嚢炎；６６５、７２６、７２８、７４１、７８６、７８８、７９１、８７９、８８１、持続性の病気；１９、２１、６１、７１、９４、１１９、１２１、１２４、４９９９、咽頭炎；６６７、７２６、７２８、７４１、７８６、７８８、７９１、８７９、８８１、痔疾；１９、２１、６１、７１、９４、１２４、７８８、７９１、７９９、８０１、８７９、８８１、ぎょう虫、寄生虫；１９、２１、６１、７３、９６、１１９、１２１、１２４、７８８、７９１、７９９、８０１、胎盤（後産）；６６５、７２６、７２８、７４１、７８６、７８８、７９１、８７９、８８１、血漿、リンパ漿（きれいにする）；１９、６１、９６、１２４、６６７、７２６、７４１、７８６、７９１、８７９、４９９９、１０００１、肋膜炎、
（胸膜）；１９、２１、５９、７１、９４、１２４、６６５、７２６、７４１、７８９、８７９、４９９９、５００１、肺炎；１９、２１、７１、９４、１２４、６６５、７２６、７４１、７６９、７７１、７７５、７７７、７８８、７９１、８７９、８８１、４９９９、５００１、毒（薬）、ボツリン中毒、プトマイン中毒、麻薬；９９９９、急性灰白髄炎；６６５、７２８、７４１、７８８、７９１、８７９、１４９９、１５０１、１５５１、１６０１、１８３９、１９９９、ポリープ（鼻茸）；１８４１、１９９９、２００１、２１２６、２１２７、２１２９、前立腺炎；６６５、７２６、７４１、７８８、７９１、８７９、４９９９、乾癬；１９、２１、６１、７１、９４、１２４、６６５、７２６、７３９、７８８、７９１、８８１、４９９９、５００１、眼瞼下垂病；６６５、７２６、７３９、７８８、７９１、８８１、４９９９、９９９９、膿漏；１９、２１、５９、７１、９４、１２４、６６５、７２６、７３９、７８８、７９１、４９９９、狂犬病、恐水病；１９、２１、５９、７１、９４、１１９、１２１、１２６、６６５、７２８、７４１、７８８、７９１、８７９、鼻カタル；１９、２１、６１、７１、９６、１１９、１２１、１２６、６６７、７２８、７４１、７８８、８８１、くる病；１９、６１、９６、１２４、６６７、７２６、７４１、７８６、７９１、８７９、４９９９、１０００１、輪癬、たむし；１９、２１、５９、７１、９４、１１９、１２１、１２４、７８８、７９１、７９９、８０１、肉腫；１９９７、１９９９、２００１、２００９、２０９９、２１０１、２１２６、２１２７、猩紅熱；６６５、７２６、７２７、７２９、７３９、７８６、７８８、７９１、８７９、８８１、壊血病；１９、６１、９６、１２４、６６７、７２６、７４１、７８６、７９１、８７９、４９９９、１０００１、帯状疱疹；１５０１、１５４９、１５５１、１６０１、１８３９、１９９９、２００１、静脈洞瘻；１９、２１、５９、７１、９６、１１９、１２１、１２４、６６５、７２６、７３９、７８８、７８９、８８１、静脈洞炎；６６５、７２６、７２８、７４１、７８６、７８８、７９１、８７９、８８１、皮膚（出血）；７８６、７９１、７９９、８０１、４９９９、５００１、９９９９、眠り病；１９、２１、５９、７１、９６、１１９、１２１、１２６、６６７、７２８、７４１、７８８、７９１、８８１、椎間板変位；６６５、７２８、７３９、７８８、７８９、９９９９、１０，００１、天然痘、ほうそう；６６７、７２６、７２７、７２９、７４１、７８６、７８８、７９１、８７９、８８１、におい（欠乏、不足）；１９、２１、５９、７１、９６、１２６、９９９９、１０００１、病的なにおい；６６５、７２８、７３９、７８８、７９１、７９９、８０１、くしゃみ；６６５、７２８、７３９、７８８、７８９、８８１、９９９９、１０００１、咽頭炎；６６５、７２６、７２７、７２９、７３９、７８６、７８８、７８９、８７９、８８１、筋肉のけいれん；１９、２１、５９、７１、９４、１２４、９９９９、１０００１、無意識精液漏；１９、２１、５９、７１、９４、１２４、９９９９、１０００１、脾臓（肥大）；１９、２１、６１、７１、９４、１２６、脊椎炎；７８８、７８９、７９９、８０１、８７９、８８１、１５４９、１５５９、１５６１、１５７１、捻挫、くじき全般；１９、２１、５９、７１、９４、１２６、４９９９、５００１、吃音；１９、２１、５９、７１、９６、１２６、６６５、７２８、７４１、７８８、７９１、８８１、９９９９、１０００１、ブドウ状球菌；７２４、７２６、７２７、７２８、７２９、７３１、７３９、７８８、７９１、８８１、不妊症（予防）；１８３９、１９９９、２００１、２００７、２００９、２１２６、２１２８、２１２９、４９９９、９９９９、胃けいれん；１９、２１、５９、７１、９６、１２６、６６５、７２６、７３９、７８８、７９１、８８１、９９９９、１０００１、腎臓胆嚢の結石；６６５、７２８、７９１、８０１、８８１、９９９９、１０００１、連鎖状球菌；６６７、７２８、７３９、７８８、７９１、８７４、８７６、８７９、８８１、８８４、８８６、麦粒腫ものもらい；１９、２１、６１、７１、９４、１２６、７８８、７９１、８７９、４９９９、５００１、９９９９、１０００１、日射病；１９、２１、６１、７１、９４、１２６、９９９９、１０００１、副腎刺激；１９、２１、６１、７１、９４、１２６、４９９９、５００１、外科；６６５、７２６、７２８、７４１、７８６、７８８、７９１、８７９、８８１、５００１、腫れ物（くるぶしより下）；１９、２１、５９、７１、９６、１２６、６６５、７２６、７３９、７８８、７９１、８８１、４９９９、９９９９、１０００１、症候群（全般）；１９、２１、５９、７１、９６、１２６、６６５、７２６、７３９、７８８、７９１、８８１、９９９９、１０００１、梅毒；１９、２１、６１、７３、９６、１２４、５９９、６０１、６２４、６２６、６６７、６９９、７０１、７２８、７４１、７８８、７９１、８８１、９９９９、味覚なし；１９、２１、６１、７３、９６、１２６、９９９９、１０００１、破傷風；５９９、６０１、６６１、６６７、７０１、７２８、７４１、７８８、７９１、８８１、視神経床、室（間脳の一部）；１９、２１、６１、７１、９４、１２６、４９９９、５００１、血栓静脈炎；１４９９、１５０１、１５５１、１６０１、鵞口瘡；６６５、７２８、７４１、７８８、７９１、８８１、胸腺（全般）；１９、２１、５９、７１、９４、１２６、６６７、７２８、７４１、７８８、７９１、８８１、４９９９、５００１、甲状腺；１９、５９、７１、９６、１２４、１５９、１６１、組織細胞の刺激；６６５、７２６、７３９、７８８、７９１、８８１、１８４１、１９９９、２００１、２９９９、３００１、４９９９、５００１、扁桃腺炎；１９、２１、６１、７３、９６、１２６、６６７、７２８、７４１、７８８、７９９、８０１、８８１、５００１、歯痛；１９、２１、６６７、７２８、７４１、７８８、７９１、８８１、４９９９、有毒反応；１９、６１、７３、９６、１２４、トラコーマ（目の炎症）；７２６、７８８、８８１、精神的外傷；６６５、７２８、７４１、７８６、７９１、８８１、５００１、９９９９、１０００１、結核；１９、２１、６１、７１、９４、１２６、６６７、７２８、７４１、７８８、７９１、７９９、８０１、１４９９、１５０１、１５４９、１５５１、１５９９、１６０１、腫瘍できもの全般；１８４１、１９９７、１９９９、２００７、２００９、２１２６、２１２８、２１２９、潰瘍；７２６、７７７、７８８、８８１、意識不明、気絶；１９、２１、８０１、５００１、尿道全般的炎症；６６７、７２８、７４１、７８８、７９１、８７９、８８１、ビールス病；７７７、７８８、８０１、８３１、８３９、８８１、１５７１、１９９９、２０５１、２４８８、２４９１、４９９９、いぼ；６６７、７２８、７８６、７８８、１８４１、１９９９、２００１、２００７、２００９、２１２６、２１２８、２１２９、むちうち症；１９、２１、６１、７３、９６、１２６、９９９９、１０００１、黄熱病；１９、２１、６１、７３、９６、８７９、８８１、９９９９、１０００１。
【請求項５８】
請求項５５、５６、又は５７において、前記生体（Ｐ）に通電する周波数を、前記選択された周波数のプラス・マイナス３Ｈｚの範囲としたことを特徴とする波動治療装置（１０）、（４０）、（６０）、（７０）。
【請求項５９】
請求項５５乃至５８のいずれかにおいて、前記低周波電流印加装置（１０）及び音波印加装置を備え、前記低周波電流印加装置（１０）における治療電極（１４）及び不関電極（１６）の少なくとも一方が、前記音波印加装置（６０）における音波発振子を兼ねたことを特徴とする波動治療装置（１０）、（４０）、（６０）、（７０）。
【請求項６０】
請求項５４乃至５９のいずれかにおいて、前記周波数選択制御装置（８４）は、前記周波数選択装置に対して、有線又は無線の通信回線（８６）を介して前記周波数選択信号を出力するようにされたことを特徴とする波動治療装置。
【発明の詳細な説明】
【技術分野】
【０００１】
この発明は波動電流、電磁波、音波を用いた治療方法、装置に関する。
【背景技術】
【０００２】
従来、物理療法機器の一種として電気治療機器があり、且つ、電気治療機器の一部に、皮膚の表面に電極を装着して、波動電流を人体に通じて治療することを目的とする医用の波動治療器がある。
【０００３】
この波動治療器は、治療すべき部位に当てる治療電極（関電極）と、これに対する他の電極である不関電極との間に発振器からの低電圧波動電流を印加するようにされている。
【０００４】
このような波動治療器は、例えば日本工業規格では、その発振器が、少なくとも５Ｈｚ以下、５〜５０Ｈｚ、５０〜５００Ｈｚ及び５００〜１０００Ｈｚの４種類の周波数帯において、いずれの周波数帯においても１つ以上の周波数を発生できるように指定されている。
【０００５】
このような波動治療器は、電流刺激により、例えば麻痺筋の癈用性萎縮を予防したり、鎮痛、血行改善のために用いられている。又小型の波動治療器は、肩こりをほぐしたりする目的で用いられている。
【０００６】
上記のような従来の波動治療器においては、筋肉を刺激したり、鎮痛、血行改善等に用いられるのみであって、疾病治療にはほとんど効果がなかった。
【０００７】
又、上記低周波治療器は、電極を患者の皮膚に貼付けるためには、患部を露出させなければならず、女性の場合、患部によっては露出できなかったり、あるいは重篤、肢体不自由患者等の場合は、電極を貼付けたり、治療するための姿勢をとることができないことがある。
【発明の開示】
【発明が解決しようとする課題】
【０００８】
この発明は、波動電流及び/又は音波を利用して、疾病を効果的に治療することができるようにした波動治療方法、装置及びシステムを提供することを目的とする。
【０００９】
又、この発明は、電極を貼付けることなく低周波電流及び/又は音波を利用して、疾病を効果的に治療することができるようにした波動治療方法及び装置を提供することを目的とする。
【００１０】
本出願人は、先に、特願平８−１３７９５０号、ＰＣＴ／ＪＰ９７／０１８４９号により、皮膚から波動電流を人体に通じて治療する波動治療方法及び装置において、前記波動電流の周波数を、１〜１００００Ｈｚの間の少なくとも一部の範囲で、一定時間毎に順次高くして治療する発明を提案した。
【００１１】
これは本発明者の実験により確認された結果に基づくものであり、人体に通電したとき、疾病の種類によって最低波動数が異なるものの、正常細胞と比較して、故障のある細胞は、波動電流を通し易いことを発見した。即ち、波動の電流は故障のある部分を選んで人体を通る。
【００１２】
又、本発明者は、特定の周波数（例えば１〜１００００Ｈｚの間では６９種類の周波数）の電流が、特に治療効果を有することを見出し、これらのうち複数種類の周波数を予め選択し、該選択された周波数の波動電流により治療する発明を提案した。
【００１３】
前記複数種類の周波数とは、１、２、４、８、１２、１５、２０、２６、６０、７２、９５、１００、１２０、１２５、１６０、４４０、４４８、４６５、５００、６００、６２５、６６０、６６６、６９０、７００、７２５、７２７、７２８、７３０、７４０、７７０、７７６、７８７、７９０、７９９、８００、８０２、８０３、８０４、８３２、８４０、８７５、８７８、８８０、８８５、８９０、１５００、１５５０、１５６０、１５７０、１６００、１８００、１８４０、１８５０、１９００、１９９８、２０００、２００８、２０５２、２１００、２１２０、２１２７、２１２８、２１３０、２４８９、２４９０、３０００、５０００、及び１００００Ｈｚであった。
【課題を解決するための手段】
【００１４】
本発明者は更に実験により確認したところ、上記複数種類の周波数の各々の周波数を１Ｈｚ増加又は減少させた周波数がより効果的であることが判明した。
【００１５】
又、生体に直接電極を貼付けなくても、所定周波数の電磁波による電磁場を人体近傍に発生させることにより、電極を張付けた場合と同様の治療効果を得ることができた。更に、実験により、前記と同一の周波数の音波を低周波電流あるいは電磁波と同時に、又は別個に人体に伝達することにより、同様の治療効果を得ることが確認できた。
【００１６】
この発明は、請求項１のように、低周波電流、電磁波及び音波の少なくとも一つ波動電流を人体に注入し治療する波動治療方法において、前記電磁波及び音波の周波数を、１４、１６、１９、２１、２５、２７、５９、６１、７１、７３、９４、９６、１１９、１２１、１２４、１２６、１５９、１６１、４４１、４４７、４４９、４６４、４６６、４９９、５０１、５９９、６０１、６２４、６２６、６５９、６６１、６６５、６６７、６８９、６９１、６９９、７０１、７２４、７２６、７２７、７２８、７２９、７３１、７３９、７４１、７６９、７７１、７７５、７７７、７８６、７８８、７８９、７９１、７９９、８００、８０１、８０２、８０３、８０４、８０５、８３１、８３９、８７４、８７６、８７９、８８１、８８４、８８６、８９１、１４９９、１５０１、１５４９、１５５１、１５５９、１５６１、１５６９、１５７１、１５９９、１６０１、１７９９、１８０１、１８３９、１８４１、１８４９、１８５１、１８９９、１９０１、１９９７、１９９９、２００１、２００７、２００９、２０５１、２０９９、２１０１、２１２１、２１２６、２１２７、２１２８、２１２９、２１３１、２４８８、２４８９、２４９０、２４９１、２９９９、３００１、４９９９、５００１、９９９９及び１０００１Ｈｚのうち少なくとも２種類を選択して、疾病に応じて、一定時間毎に順次高くして治療するようにして更に治療効果を高めたものである。
【００１７】
本発明は、まず基礎的治療として、１９、６１、９６、１２４、６６７、７２６、７４１、７８６、７９１、８７９、及び１０００１Ｈｚの周波数の波動を、この順で用いて治療すると共に、次に、疾病の種類に応じて選択された周波数の波動により治療することを特徴とするものである。
【００１８】
前記選択された各周波数の波動を、各々２〜５分間づつ人体に通じて治療することを特徴とするものである。
【００１９】
又、本発明は、前記選択された周波数を切替える際に、０〜１分の休止時間を設けることを特徴とするものである。
【００２０】
本発明は、前記選択された周波数のうち最低波動数を１４Ｈｚとしたものである。
【００２１】
本発明は、前記周波数を、疾病が後天性免疫不全症の場合、２１、５９、７３、９４、９９、１２１、１２６、４４７、４４９、４６４、４６６、４９９、５９９、６２６、６５９、６６７、７２８、７３９、７７７、７８８、７９１、７９９、８０２、８０５、８８１、１４９９、１５４９、１５７１、１６０１、１７９９、１８３９、１９９９、２００１、２００９、２１２８、２４８８、２４８９、２４９０、２４９１、４９９９及び９９９９Ｈｚのうち少なくとも２種類としたものである。
【００２２】
本発明は、前記周波数を、疾病がアレルギーの場合、６６７、７２６、７４１、７８６、７９１、８７９、４９９９及び５００１Ｈｚのうち少なくとも２種類としたものである。
【００２３】
本発明は、前記周波数を、疾病が動脈硬化症の場合、２１、６１、７１、９６、１２４、６６５、７２８、７４１、７８８、７９１、８８１、４９９９、５００１、９９９９及び１０００１Ｈｚのうち少なくとも２種類としたものである。
【００２４】
本発明は、前記周波数を、疾病が関節炎の場合、１９、２１、５９、７１、９４、１２６、６６７、７２６、７３９、７８６、７９１、８０１、８８１、１５０１、１８４１、１９９９、２００１、２００７、２１２６、４９９９、５００１、９９９９及び１０００１Ｈｚのうち少なくとも２種類としたものである。
【００２５】
本発明は、前記周波数を、疾病が嘆息の場合、６６７、７２８、７４１、７８８、７８９及び８８１Ｈｚのうち少なくとも２種類としたものである。
【００２６】
本発明は、前記周波数を、疾病が低血圧の場合、６１、９６、１２４、６６７、７２６、７４１、７８６、７９１、８７９及び１０００１Ｈｚのうち少なくとも２種類としたものである。
【００２７】
本発明は、前記周波数を、疾病が腫れ物、おできの場合、１９、２１、５９、７１、９４、１２４、６６７、７２８、７３９、７８６、７９１及び８７９、Ｈｚのうち少なくとも２種類としたものである。
【００２８】
本発明は、前記周波数を、疾病が肺炎の場合、６６５、７２８、７４１、７７７、７９１及び８８１Ｈｚのうち少なくとも２種類としたものである。
【００２９】
本発明は、前記周波数を、疾病が気管支炎の場合、６６７、７２８、７４１及び８７９Ｈｚのうち少なくとも２種類としたものである。
【００３０】
本発明は、前記周波数を、疾病が癌（肉腫）の場合、１９９９、２００１、２００７、２００９、２１２６及び２１２８Ｈｚのうち少なくとも２種類としたものである。
【００３１】
本発明は、前記周波数を、疾病が癌腫の場合、２１２１、２１２６及び２１３１Ｈｚのうち少なくとも２種類としたものである。
【００３２】
本発明は、前記周波数を、疾病が白内障の場合、６６７、７２６、７４１、７８８、７９１、８７９、４９９９、５００１、９９９９及び１０００１Ｈｚのうち少なくとも２種類としたものである。
【００３３】
本発明は、前記周波数を、疾病がかぜ、咳の場合、６６５、７２７、７２９、７４１、７８８、７９１、８０１、８８１、４９９９、５００１、９９９９及び１０００１Ｈｚのうち少なくとも２種類としたものである。
【００３４】
本発明は、前記周波数を、疾病が腹痛の場合、１９、６１、７３、９６、１２４、６６７、７２８、７３９、７８８、７８９、７９１、７９９、８０１及び８８１Ｈｚのうち少なくとも２種類としたものである。
【００３５】
本発明は、前記周波数を、疾病が大腸炎の場合、２１、５９、７１、９４、１２６、６６５、７２６、７４１、７８６、７８９、７９９、８０１、８８１、９９９９及びＨｚ１０００１のうち少なくとも２種類としたものである。
【００３６】
本発明は、前記周波数を、疾病が便秘の場合、１９、５９、７３、９６、１２６、６６７、７２８、７４１、７８６、７８９、７９１、７９９、８０１及び８８１Ｈｚのうち少なくとも２種類としたものである。
【００３７】
本発明は、前記周波数を、疾病が膀胱炎（膀胱炎症）の場合、２１、６１、７１、９４、１２６、６６５、７３９、７８８、７９１、７９９、８０１、８８１、４９９９、９９９９及びＨｚ１０００１のうち少なくとも２種類としたものである。
【００３８】
本発明は、前記周波数を、疾病が糖尿病の場合、２１、５９、７３、９４、１２６、６６５、７２８、７８６、７９１、７９９、８８１、４９９９、９９９９及び１０００１Ｈｚのうち少なくとも２種類としたものである。
【００３９】
本発明は、前記周波数を、疾病が十二指腸潰瘍の場合、６６７、７２６、７２８、７４１、７８６、７８８、７９１、８７９、８８１、９９９９及び１０００１Ｈｚのうち少なくとも２種類としたものである。
【００４０】
本発明は、前記周波数を、疾病が浮腫、水腫肺の場合、６６５、７２６、７２８、７４１、７８６、７８８、７８９、８７９及び８８１Ｈｚのうち少なくとも２種類としたものである。
【００４１】
本発明は、前記周波数を、疾病がインフルエンザの場合、１９、６１、７１、９４、１２４、６６７、７２８、７４１、７８６、７９１、７９９、８０１及び８８１Ｈｚのうち少なくとも２種類としたものである。
【００４２】
本発明は、前記周波数を、疾病が胆石の場合、１９、２１、６１、７１、９４、１２４、６６７、７２８、７４１、７８８、７８９、８８１及び４９９９Ｈｚのうち少なくとも２種類としたものである。
【００４３】
本発明は、前記周波数を、疾病が胆嚢の場合、１９、２１、６１、７１、９４、１２４、６６７、７２８、７４１、７８８、７８９、８８１、４９９９及び５００１Ｈｚのうち少なくとも２種類としたものである。
【００４４】
本発明は、前記周波数を、疾病が痛風の場合、１９、２１、６１、７１、９４、１２４、６６７、７２８、７４１、７８８、７８９、８８１、４９９９、９９９９及び１０００１Ｈｚのうち少なくとも２種類としたものである。
【００４５】
本発明は、前記周波数を、疾病が痔疾患の場合、１９、２１、５９、７１、９６、１２６、６６７、７２８、７４１、７８９、７９９、８０１、８７９及び８８１Ｈｚのうち少なくとも２種類としたものである。
【００４６】
本発明は、前記周波数を、疾病が肝炎（肝臓の炎症）の場合、６６５、７２６、７２７、７２９、７４１、７９１、８０１、８７９及び８８１Ｈｚのうち少なくとも２種類としたものである。
【００４７】
本発明は、前記周波数を、疾病がヘルニアの場合、６６７、７２６、７３９、７８８、７８９、４９９９及び５００１Ｈｚのうち少なくとも２種類としたものである。
【００４８】
本発明は、前記周波数を、疾病が高血圧の場合、１９、２１、６１、７３、９６、１２６、６６７、７２８、７４１、７８８、７９１、８８１、９９９９及び１０００１Ｈｚのうち少なくとも２種類としたものである。
【００４９】
本発明は、前記周波数を、疾病が肋間神経痛の場合、６６５、７２８、７４１、７８８、７９１、７９９、８０１、８８１、９９９９及び１０００１Ｈｚのうち少なくとも２種類としたものである。
【００５０】
本発明は、前記周波数を、疾病が白血病、がんの場合、６６５、７２８、７３９、７８６、７９１、７７９、１９９９、２００１、２００９、２１２６及び２１２８Ｈｚのうち少なくとも２種類としたものである。
【００５１】
本発明は、前記周波数を、疾病が腰痛の場合、６６７、７２８、７４１、７８８、７９１、８８１、９９９９及び１０００１Ｈｚのうち少なくとも２種類としたものである。
【００５２】
本発明は、前記周波数を、疾病がメニエール病の場合、１９、２１、６１、７１、９６、１２６、６６７、７２８、７４１、７８８、７９１、８７９、８８１、４９９９、５００１９９９９及び１０００１Ｈｚのうち少なくとも２種類としたものである。
【００５３】
本発明は、前記周波数を、疾病が腎炎の場合、１９、２１、６１、７３、９６、１２６、６６７、７２８、７４１、７８８、７９１、７９９、８８１、９９９９及び１０００１Ｈｚのうち少なくとも２種類としたものである。
【００５４】
本発明は、前記周波数を、疾病が神経痛の場合、２１、６１、７３、９６、１２６、６６７、７２６、７４１、７８８、８７９、９９９９及び１０００１Ｈｚのうち少なくとも２種類としたものである。
【００５５】
本発明は、前記周波数を、疾病がパーキンソン病の場合、６６７、７２６、７４１、７８６、７９１、８７９、１５０１、１５４９、１５５１、１６０１、１８３９、１９９９、２００１、４９９９及び５００１Ｈｚのうち少なくとも２種類としたものである。
【００５６】
本発明は、前記周波数を、疾病が肺炎の場合、１９、２１、７１、９４、１２４、６６５、７２６、７４１、７６９、７７１、７７５、７７７、７８８、７９１、８７９、８８１、４９９９及び５００１Ｈｚのうち少なくとも２種類としたものである。
【００５７】
本発明は、前記周波数を、疾病がリウマチ、関節炎の場合、１９、５９、７１、９４、１２４、５９９、６５９、６６７、７２８、７３９、７８８、７９１、８０１、８８１、１５０１、１５４９、１，６０１、１，８３９、１，９９９、２００１、２００７、２１２８、２１２９、４９９９、９９９９及びＨｚ１０００１のうち少なくとも２種類としたものである。
【００５８】
本発明は、前記周波数を、疾病が咽頭炎の場合、６６５、７２６、７２７、７２９、７３９、７８６、７８８、７８９、８７９及び８８１Ｈｚのうち少なくとも２種類としたものである。
【００５９】
本発明は、前記周波数を、疾病が腎臓胆嚢の結石の場合、６６５、７２８、７９１、８０１、８８１、９９９９及び１０００１Ｈｚのうち少なくとも２種類としたものである。
【００６０】
本発明は、前記周波数を、疾病が扁桃腺炎の場合、１９、２１、６１、７３、９６、１２６、６６７、７２８、７４１、７８８、７９９、８０１、８８１及び５００１Ｈｚのうち少なくとも２種類としたものである。
【００６１】
本発明は、前記周波数を、疾病が歯痛の場合、１９、２１、６６７、７２８、７４１、７８８、７９１、８８１及び４９９９Ｈｚのうち少なくとも２種類としたものである。
【００６２】
本発明は、前記周波数を、疾病が結核の場合、１９、２１、６１、７１、９４、１２６、６６７、７２８、７４１、７８８、７９１、７９９、８０１、１４９９、１５０１、１５４９、１５５１、１５９９及び１６０１Ｈｚのうち少なくとも２種類としたものである。
【００６３】
本発明は、前記周波数を、疾病がむちうち症の場合、１９、２１、６１、７３、９６、１２６、９９９９及び１０００１Ｈｚのうち少なくとも２種類としたものである。
【００６４】
本発明は、前記人体に通電する周波数を、前記選択された周波数のプラス・マイナス３Ｈｚの範囲としたことを特徴としたものである。
【００６５】
本発明は、生体における患部を間にして一対の電極を直接又は電極に接触する導電体を介して皮膚に接触させ、ここから低周波電流を印加することを特徴としたものである。
【００６６】
本発明は、生体に接近した位置に、低周波発振器の発振コイルを少なくとも１個配置し、この発振コイルから１４〜１０００１Hｚの間の少なくとも一部の範囲の周波数の電磁波を、一定時間毎に順次高くして生体に向けて発振し、治療することを特徴としたものである。
【００６７】
本発明は、前記発振コイルから発振される電磁波の強度を、その電磁場中の生体の表皮における電圧が最大３０V、電流が最大５０ｍAとなるようにしたことを特徴としたものである。
【００６８】
本発明は、前記周波数の音波を患者の耳及び皮膚の少なくとも一方から生体に注入することを特徴としたものである。
【００６９】
本発明は、前記低周波電流及び電磁波の一方と音波とを同一の周波数で、且つ、同期して生体に注入することを特徴としたものである。
【００７０】
本装置発明は、治療すべき部位に当てる治療電極と、この治療電極に対となって生体に当てられ、該生体に通電するための不関電極を含み、これら電極間に印加する波動の低電流を発生する発振器と、を含む低周波電流印加装置、発振器により発生した人体の治療すべき部位に接近して配置され得る少なくとも一個の発振コイルと、この発振コイルに印加する低周波の電流を発生する発振器とを含む電磁波印加装置、及び音波を人体の耳及び皮膚の少なくとも一方に注入する音波印加装置、のうちの少なくとも一つを有してなる波動治療器において、前記発振器は、発振周波数を予め設定された複数種類の周波数から選択して、波動側から、該定時間毎に、順次高く変更する周波数制御装置を備え、この周波数制御装置を、疾病の種類毎に、これに対応して予め選択された複数種類の周波数の情報を記憶するメモリー部と、疾病の種類に応じて入力される指示信号に応じて、前記対応する複数種類の周波数の情報を前記メモリー部から読み出し、該読み出した周波数の情報に基づき前記発振器の発振周波数を順次変更させる選択信号出力部とを有して構成し、前記複数種類の周波数を、１４、１６、１９、２１、２５、２７、５９、６１、７１、７３、９４、９６、１１９、１２１、１２４、１２６、１５９、１６１、４４１、４４７、４４９、４６４、４６６、４９９、５０１、５９９、６０１、６２４、６２６、６５９、６６１、６６５、６６７、６８９、６９１、６９９、７０１、７２４、７２６、７２７、７２８、７２９、７３１、７３９、７４１、７６９、７７１、７７５、７７７、７８６、７８８、７８９、７９１、７９９、８００、８０１、８０２、８０３、８０４、８０５、８３１、８３９、８７４、８７６、８７９、８８１、８８４、８８６、８９１、１４９９、１５０１、１５４９、１５５１、１５５９、１５６１、１５６９、１５７１、１５９９、１６０１、１７９９、１８０１、１８３９、１８４１、１８４９、１８５１、１８９９、１９０１、１９９７、１９９９、２００１、２００７、２００９、２０５１、２０９９、２１０１、２１２１、２１２６、２１２７、２１２８、２１２９、２１３１、２４８８、２４８９、２４９０、２４９１、２９９９、３００１、４９９９、５００１、９９９９及び１０００１Ｈｚのうちの少なくとも２種類としたものである。
【００７１】
本発明は、各疾病の治療に先立つ基礎的治療のため周波数を、１９、６１、９６、１２４、６６７、７２６、７４１、７８６、７９１、８７９、及び１０００１Ｈｚとしたものである。
【００７２】
本発明は、前記周波数を各疾病毎に次のように選択され、前記メモリー部には、下記のうち少なくとも１種類の疾病について、選択された複数の周波数のうちの少なくとも２つの周波数の情報が記憶されたことを特徴としたものである。
【００７３】
膿瘍、腫物；１９、２１、５９、７３、９４、１２６、６６５、７２８、７３９、７８８、７８９、８８１、にきび；６６５、７２８、７３９、７８８、７８９、８８１、４９９９、アクチノミコーゼ；１９、６１、７１、９６、１２４、６６７、７２６、７４１、７８６、７９１、８７９、８９１、劇痛；８７９、９９９９、１０００１、アデノイド；１９、６１、７１、９６、１２４、６６７、７２６、７４１、７８６、７９１、７９９、８８１、癒着；６６５、７２８、７３９、７８８、７９１、８８１、４９９９、後天性免疫不全症；２１、５９、７３、９４、９９、１２１、１２６、４４７、４４９、４６４、４６６、４９９、５９９、６２６、６５９、６６７、７２８、７３９、７７７、７８８、７９１、７９９、８０２、８０５、８８１、１４９９、１５４９、１５７１、１６０１、１７９９、１８３９、１９９９、２００１、２００９、２１２８、２４８８、２４８９、２４９０、２４９１、４９９９、９９９９、アルコール中毒；６６５、７２６、７４１、７８６、７９１、８８１、９９９９、１０００１、アレルギー；６６７、７２６、７４１、７８６、７９１、８７９、４９９９、５００１、禿頭病（ｈａｉｒ  ｌｏｓｓ）；６６５、７２８、７４１、７８６、７９１、８７９、９９９９、１０００１、無月経（月経不首尾）；６６５、７２８、７４１、７８８、７９１、８８１、９９９９、１０００１、貧血症；１９、６１、９６、１２４、６６７、７２６、７４１、７８６、７９１、８７９、４９９９、１０００１、動脈瘤；１９、２１、６１、７１、９４、１２６、４９９９、５００１、肛門（かゆみ）；２１、５９、７３、９４、１２４、７２６、７８８、７９１、８７９、９９９９、１０００１、脾脱疽、炭疽熱（家畜の伝染病）；６６５、７２８、７３９、７８８、７９１、８７９、殺菌、滅菌；６６５、７２６、７４１、７８６、７８９、８８１、５００１、食欲不振；６６５、７２６、７３９、７８６、７８９、８７９、１０００１、エイズ関連症候群；６２６、６６１、動脈（硬化）；２１、６１、７３、９５、１２４、６６５、７２６、７４１、７８８、７９１、８８１、４９９９、９９９９、動脈（ｓｔｉｍｕｌａｔｅ）；６６５、７２８、７４１、７８８、７９１、８０１、８７９、９９９９、１０００１、動脈硬化症；２１、６１、７１、９６、１２４、６６５、７２８、７４１、７８８、７９１、８８１、４９９９、５００１、９９９９、１０００１、関節炎；１９、２１、５９、７１、９４、１２６、６６７、７２６、７３９、７８６、７９１、８０１、８８１、１５０１、１８４１、１９９９、２００１、２００７、２１２６、４９９９、５００１、９９９９、１０００１、運動失調症（筋肉）；６６５、７２６、７３９、７８８、７９１、８８１、４９９９、５００１、９９９９、１０００１、水虫；２１、５９、７３、９６、１２４、６６５、７２６、７４１、７８６、７９１、８７９、５００１、喘息；６６７、７２８、７４１、７８８、７８９、８８１、脳、脊髄の星形細胞；６６５、７２８、７４１、７８６、７８９、８７９、１９９９、２００１、２００７、２００９、２１２６、２１２８、自家中毒；６６５、７２６、７３９、７８８、７９１、８７９、９９���９、１０００１、桿ウィルス；６６５、７２６、７３９、７８６、７８９、８０１、８０２、８０４、５００１、背中の痛み；６６７、７２８、７４１、７８８、７９１、８８１、９９９９、１０００１、不正呼吸；１９、２１、６１、７３、９６、１２６、４９９９、５００１、短気（おこりっぽい）；６６７、７２６、７４１、７８６、７８９、８８１、５００１、９９９９、１０００１、火ぶくれ、水ぶくれ；１９、６１、７３、９６、１２６、６６７、７２８、７３９、８７９、水ぶくれ、水泡；９９９９、血液の病気；６６５、７２８、７３９、７８６、７９１、８８１、低血圧；１９、６１、９６、１２４、６６７、７２６、７４１、７８６、７９１、８７９、１０００１、腫れ物、おでき；１９、２１、５９、７１、９４、１２４、６６７、７２８、７３９、７８６、７９１、８７９、腫れ物（かぶれ、感染）；１９、２１、５９、７３、９６、１２６、６６７、７２８、７４１、７８８、７８９、８８１、４９９９、５００１、骨（ひび、骨折）；１９、６１、９６、１２４、６６７、７２６、７４１、７８６、７９１、８７９、１０００１、胸の腫瘍；２００７、２１２７、２１２９、胸部；１９、６１、９６、１２４、６６７、７２６、７４１、７８６、７９１、８７９、４９９９、１０００１、呼吸；１９、６１、９６、１２４、６６７、７２６、７４１、７８６、７９１、８７９、５００１、１０００１、肺炎；６６５、７２８、７４１、７７７、７９１、８８１、気管支炎；６６７、７２８、７４１、８７９、打撲、傷、打ち身；６６７、７２６、７４１、７９１、８８１、９９９９、１０００１、腺ペスト、伝染病；１９、６１、７３、９４、１２４、４９９、５０１、４９９９、外反拇趾の痛み；１９、２１、６１、７３、９４、１２４、６６７、７２６、７３９、７８８、７９１、４９９９、５００１、やけど（放熱）；２１２６、９９９９、１０００１、やけど（熱）；１９、６１、９６、１２４、６６７、７２６、７４１、７８６、７９１、８７９、１０００１、滑液嚢炎；６６５、７２６、７３９、７８６、７９１、８８１、蝶型紅班性狼瘡；６６５、７２８、７３９、７７５、７７７、７８８、７９１、１８４１、１８４９、菌状腫、海綿腫、魚の皮膚病；４６６、２１２８、にきび、吹き出物；２１、６１、７３、９４、１２６、６６７、７２８、７３９、７８８、７９１、８８１、４９９９、５００１、心臓病（鎮静の効果あり）；６６５、７２８、７３９、７８６、７８９、８８１、４９９９、５０００、９９９９、１０００１、白内障；６６７、７２６、７４１、７８８、７９１、８７９、４９９９、５００１、９９９９、１０００１、カタル（鼻喉の粘膜の炎症）；１９、２１、５９、７３、９６、１２４、６６５、７２６、７４１、７８８、７８９、８７９、脳性小児マヒ；６６５、７２６、７３９、７８８、７９１、８８１、９９９９、１０００１、脳脊髄膜炎；６６７、７２８、７４１、７８６、７８９、８７９、９９９９、１００００、頸部の腺（こぶ、腫れ物）；６６７、７２８、７４１、７８６、７８９、８７９、４９９９、５００１、子宮頚管炎；１９、５９、７３、９６、１２４、６６５、７２８、７４１、７８８、７９１、８７９、水疱瘡、１９、２１、６���、７１、９４、１２６、６６７、７２８、７３９、７８６、７８９、８８１、しもやけ、凍傷；１９、２１、５９、７３、９６、１２６、４９９９、５００１、心身機能の不調；６５、７２８、８８１、冷え性（足）；１９、２１、６１、７３、９４、１２４、４９９９、５００１、冷え性（手）；１９、２１、５９、７１、９６、１２６、４９９９、５００１、かぜ、咳；６６５、７２７、７２９、７４１、７８８、７９１、８０１、８８１、４９９９、５００１、９９９９、１０００１、かぜ（頭）；６６５、７２７、７２９、７３９、７８６、７８９、８８１、４９９９、５００１、結膜炎（まぶた、眼瞼の膨張）；６６５、７２６、７２７、７２９、７４１、７８８、７８９、８０１、８８１、腫れ物収縮、うみ排出；２１、６１、７１、９４、１２４、６６５、７２６、７８８、７９１、８８１、９９９９、１０００１、けいれん、ひきつけ；６６５、７２６、７３９、７８６、７９１、８７９、４９９９、９９９９、１０００１、うおのめ；１９、２１、６１、７１、９４、１２６、６６７、７２６、７４１、７８８、７９１、８７９、４９９９、９９９９、１０００１、鼻風邪；６６７、７２６、７３９、７８８、７９１、８８１、肋骨の痛み；６６７、７２８、７３９、７８８、７９１、８７９、５００１、９９９９、１０００１、けいれん、こむらがえり；６６５、７２６、７４１、７８８、７８９、８８１、４９９９、９９９９、１０００１、切り傷（スピード治療）；１９、２１、５９、７３、９６、１２６、６６７、７２８、７４１、７８８、７９１、８８１、４９９９、５００１、９９９９、頭のふけ；２１、６１、７１、９４、１２６、６６７、７２８、７４１、７８８、７９１、８８１、４９９９、５００１、つんぼ；１９、２１、５９、７３、９６、１２６、６６７、７３９、７８８、７８９、７９９、８０１、８８１、４９９９、９９９９、１０００１、意気消沈、ゆううつ；９９９９、解毒；１９、６１、７１、９４、１２６、下痢（赤痢）；６６５、７２８、７３９、７８８、７８９、８０１、８７９、４９９９、５００１、消化力；６６７、７２６、７４１、７８６、７９１、８７９、４９９９、５００１、ジフテリア；１９、２１、６１、７１、９６、１２４、６６７、７２６、７２８、７３９、７８６、７８８、７９１、８７９、８８１、膨張した器官；２１、５９、７３、９４、１２６、６６５、７２８、７３９、７８８、７８９、８８１、９９９９、１０００１、膨張した胃；６６７、７２６、７４１、７８６、７９１、７９９、８０１、８７９、４９９９、５００１、めまい；１９、２１、６１、７１、９６、１２４、９９９９、１０００１、水踵症；６６５、７２８、７８６、７９１、９９９９、１０００１、薬物中毒；１９、２１、５９、７３、９４、１２６、６６５、７２８、７３９、７８８、７８９、８８１、４９９９、９９９９、１０００１、十二指腸潰瘍；６６７、７２６、７２８、７４１、７８６、７８８、７９１、８７９、８８１、９９９９、１０００１、月経困難（月経痛）；６６５、７２６、７２８、７３９、７８８、７８９、７９９、８７９、８８１、消化不良、胃弱；６６７、７２６、７４１、７８６、７９１、７９９、８０１、８８１、大腸菌；７���１、７９８、８００、８０１、８０２、８０３、８０５、耳；１９、２１、５９、７３、９４、１２６、８７９、８８１、４９９９、５００１、９９９９、湿疹；６６７、７２６、７４１、１４９９、１５０１、１５４９、１５５１、４９９９、浮腫、肺水腫；６６５、７２６、７２８、７４１、７８６、７８８、７８９、８７９、８８１、広がった腺；１９、６１、７１、９６、１２４、６６７、７２６、７４１、７８６、７９１、９９９９、１０００１、寝小便；６６７、７２６、７４１、７８６、７９１、９９９９、１０００１、精巣上体炎、副睾丸炎；１９、２１、５９、７３、９４、１２６、６６５、７２８、７３９、７８８、７８９、８８１、１４９９、１５０１、丹毒（皮膚の炎症）；２１、５９、７３、９４、１２６、５９９、６０１、６６１、６６７、７２８、７４１、７８８、７９１、１９９７、１９９９、２００１、２００９、食道；６６５、７２８、７４１、７８８、７９１、８８１、耳管、鼻、耳；１９、２１、６１、７１、９６、１２４、６６７、７２６、７４１、７８６、７９１、７９９、８０１、８８１、疲れ目；７２８、７８８、８７９、目（全般）；１９、２１、６１、７３、９４、１２６、４９９９、５００１、９９９９、１０００１、顔面まひ；６６５、７２６、７３９、７８８、８８１、４９９９、５００１、９９９９、１０００１、顔のけいれん；６６７、７２８、７４１、７８６、７９１、８７９、９９９９、１０００１、気絶、失神；１９、２１、６１、７１、９４、１２６、６６５、７２８、７３９、７８８、７８９、８８１、４９９９、５００１、筋膜、筋鞘；１９、２１、５９、７３、９６、１２４、６６７、７２６、７４１、７８６、７９１、８７９、４９９９、５００１、疲労；６６５、７３９、７９１、１８４１、１９９９、９９９９、１０００１、熱（全般）；１９、２１、５９、７１、９６、１２６、６６５、７２８、７４１、７８８、７９１、８８１、４９９９、５００１、直腸の亀裂ひび；１９、２１、６１、７３、９４、１２４、６６７、７２６、７３９、７８６、７８９、８７９、９９９９、１０００１、瘻管、瘻（直腸潰瘍）、６６７、７２６、７４１、７８８、７９１、８７９、胃腸内ガス；６６７、７２８、７４１、７８８、７９１、７９９、８０１、８８１、４９９９、５００１、インフルエンザ；１９、６１、７１、９４、１２４、６６７、７２８、７４１、７８６、７９１、７９９、
８０１、８８１、食中毒；６６７、７２６、７３９、７８８、７９１、８７９、９９９９、１０００１、足（普通の傷）；６６５、７２８、７３９、７８８、７９１、８８１、９９９９、１０００１、しもやけ；６６５、７２８、７４１、７８８、７９１、８７９、４９９９、５００１、胆石；１９、２１、６１、７１、９４、１２４、６６７、７２８、７４１、７８８、７８９、８８１、４９９９、胆嚢；１９、２１、６１、７１、９４、１２４、６６７、７２８、７４１、７８８、７８９、８８１、４９９９、５００１、壊疽；１９、２１、６６７、７２６、７２８、７４１、７８６、７８８、７８９、８７９、８８１、４９９９、胃炎；１９、２１、６１、７３、９６、１２４、６６７、７２８、７４１、７８８、７８９、８８１、４９９９、５００１、全ての腺；１９、２１、６１、７３、９６、１２６、７２８、７４１、７８８、７８９、８７９、９９９９、１０００１、緑内障；１９、６１、９６、１２４、６６７、７２６、７４１、７８６、７９１、８７９、１６０１、１０００１、甲状腺腫；１９、２１、５９、７１、９６、１２６、６６７、７２８、７４１、７８８、７９１、８８１、４９９９、５００１、９９９９、１０００１、生殖腺（炎症）；６６７、７２６、７２８、７４１、７８６、７８８、７９１、８７９、８８１、４９９９、淋病、５９９、６０１、６５９、６６１、６６７、６９９、７０１、７２８、７４１、７８８、７８９、８８１、４９９９、痛風、１９、２１、６１、７１、９４、１２４、６６７、７２８、７４１、７８８、７８９、８８１、４９９９、９９９９、１０００１、結砂病（尿中沈殿物）；６６７、７２８、７３９、７８６、７８９、８７９、４９９９、５００１、傷んだ髪；１９、２１、５９、７１、９４、１２６、６６７、７２８、７４１、７９１、８０１、８８１、９９９９、１０００１、幻覚、１９、２１、６１、７３、９６、１２４、６６５、７２６、７４１、７８８、８８１、４９９９、５００１、９９９９、二日酔い；１９、６１、９６、１２４、６６７、７２６、７４１、７８６、７９１、８７９、９９９９、１０００１、枯れ草熱；６６５、７２８、７４１、７８８、７９１、８８１、４９９９、５００１、頭（圧迫）；１９、２１、６１、７３、９６、１２４、６６５、７２６、７３９、７８８、７９１、８７９、４９９９、５００１、頭痛；１９、２１、６１、７３、９６、１２４、６６７、７２６、７４１、７８８、７９１、８８１、９９９９、１０００１、出血；８０１、９９９９、痔疾患；１９、２１、５９、７１、９６、１２６、６６７、７２８、７４１、７８９、７９９、８０１、８７９、８８１、椎間板ヘルニア；６６５、７２８、７４１、７８８、７９１、９９９９、１０００１、ヘルニア；６６７、７２６、７３９、７８８、７８９、４９９９、５００１、ヘルペス（帯状疱疹水泡）；６６５、７２８、７４１、７８８、８７９、１５４９、１５５１、１８４１、１８４９、１８５１、１８９９、１９０１、１９９７、２００１、２００７、しゃっくり；１９、２１、５９、７３、９４、１２４、９９９９、１０００１、おしりの痛み；１９、５９、７１、９４、１２４、６６５、７２８、７４１、７８８、７９１、８８１、４９９９、５００１、じんましん；６６７、７２８、７４１、７８８、７９１、８８１、１７９９、１８０１、４９９９、しゃがれ声；６６５、７２６、７２８、７４１、７８６、７８８、７８９、８７９、８８１、更年期ののぼせ；１９、６１、９６、１２４、６６７、７２６、７４１、７８６、７９１、８７９、９９９９、１０００１、水腫；６６７、７２８、７４１、７８８、７９１、８８１、９９９９、１０００１、胃酸過多；１９、２１、６１、７３、９６、１２６、６６７、７２８、７４１、７８８、７９１、８８１、９９９９、１０００１、高血圧；１９、２１、６１、７３、９６、１２６、６６７、７２８、７４１、７８８、７９１、８８１、９９９９、１０００１、ヒポコンデニー症（ゆううつ病）；１９、２１、６１、７３、９６、１２６、６６７、７２８、７４１、７８８、７９１、８８１、９９９９、１０００１、呼吸困難、低酸素；６６７、７２８、７４１、７８８、７９１、８８１、９９９９、１０００１、結腸の炎症；１９、５９、７１、９６、１２６、６６７、７２８、７４１、７８８、７９１、７９９、８０１、８８１、無力、無気力；１９、６１、９６、１２４、６６７、７２６、７４１、７８６、７９１、８７９、９９９９、１０００１、巨人症；１９、６１、９６、１２４、６６７、７２６、７４１、７８６、７９１、８７９、９９９９１０００１、、消化不良、胃弱；６６５、７２８、７４１、７８８、７９１、８８１、４９９９、５００１、小児マヒ；６６７、７２８、７４１、７８８、７９１、８８１、１４９９、１５０１、１５５１、１５９９、１８４１、１９９９、伝染病；１９、２１、７２６、７２８、７２９、７４１、７８８、７９１、８８１、胸の炎症；６６５、７２８、７３９、７８６、７８９、８８１、４９９９、５００１、インフルエンザ、流行性感冒；１９、２１、６１、７３、９６、１２４、６６５、７２６、７４１、７８８、７９１、７９９、８０１、８７９、８８１、けが；４９９９、５００１、９９９９、虫さされ；６６５、７２６、７２８、７４１、７８８、７９１、８７９、８８１、不眠症；６６７、７２８、７３９、７８８、７９１、８８１、９９９９、１０００１、知能、知性（増すために）；１９、２１、６１、７３、９４、１２４、９９９９、１０００１、肋間神経痛；６６５、７２８、７４１、７８８、７９１、７９９、８０１、８８１、９９９９、１０００１、酔い、興奮；１９、６１、９６、１２４、６６７、７２６、７４１、７８６、７９１、８７９、９９９９、１０００１、怒りっぽい、短気；１９、２１、５９、７３、９４、１２４、４９９９、５００１、９９９９、１０００１、肛門のかゆみ；６６７、７２８、７４１、７８８、７８９、８８１、４９９９、５００１、黄疸；６６７、７２８、７４１、７８８、７９１、８８１、４９９９、５００１、関節（全般的な炎症）；６６７、７２８、７４１、７８８、７９１、８８１、９９９９、１０００１、ひざの痛み；２１、６１、７１、９６、１２６、６６７、７２８、７４１、７８８、７９１、７９９、８０１、８８１、９９９９、乳の分泌増進；１９、６１、９６、１２４、６６７、７２６、７４１、７８６、７９１、８７９、４９９９、１０００１、だるさ、疲労、虚弱；１９、２１、５９、７１、９４、１２４、６６５、７２８、７８８、７９１、８８１、慢性の下痢；１９、６１、７３、９６、１２４、６６７、７２８、７４１、７８８、７９１、７９９、８０１、８８１、ハンセン病；５９９、６０１、６６７、７２６、７３９、７７７、７９１、８８１、９９９９、１０００１、白血球；１９、５９、７３、９６、１２６、６６７、７２８、７４１、４９９９、５００１、膣からの白いおりものの異常分泌；６６５、７２６、７２８、７４１、７８６、７８８、７９１、８７９、８８１、運動失調症；６６７、７２８、７４１、７８８、７９１、８８１、９９９９、１０００１、腰痛；６６７、７２８、７４１、７８８、７９１、８８１、９９９９、１０００１、ゆがんだ腰の脊椎骨；６６７、７２８、７４１、７８８、７９１、８８１、９９９９、１０００１、狼瘡；１４９９、１５４９、１５５１、１６０１、１８４１、１９９７、リンパ組織全般；６６５、７２８、７４１、７８８、７９１、８８１、４９９９、５００１、マラリア；１９、２１、５９、７１、９４、１２６、はしか；６６５、７２６、７２７、７２９、７４１、７８６、７８８、７９１、８７９、８８１、うつ病；１９、６１、９６、１２４、６６７、７２６、７４１、７８６、７９１、８７９、４９９９、１０００１、記憶力；１９、２１、５９、７１、９４、１２４、９９９９、１０００１、メニエール病；１９、２１、６１、７１、９６、１２６、６６７、７２８、７４１、７８８、７９１、８７９、８８１、４９９９、５００１、９９９９、１０００１、髄膜炎、脳膜炎；１９、２１、６１、７３、９６、１２６、４９９９、５００１、月経停止；６６５、７２８、７４１、７８８、７９１、８８１、９９９９、１０００１、月経痛；１９、２５、２７、６１、７３、９６、１２６、知恵遅れ；１９、２１、５９、７３、９６、１２４、９９９９、１０００１、ダウン症；２１、４９９９、口内発疹；１９、２１、５９、７１、９４、１２４、６６５、７２６、７４１、７８８、７９１、８８１、４９９９、便通の病気；１９、９９９９、多発性硬化症；１９、５９、７１、９４、１２４、６６５、７２６、７３９、７８８、７８９、８７９、４９９９、５００１、流行性耳下腺炎（おたふく風邪）；６６５、７２６、７２７、７２９、７４１、７８６、７８８、７９１、８７９、８８１、筋肉（修復）；１９、６１、９６、１２４、６６７、７２６、７４１、７８６、７９１、８７９、４９９９、１０００１、筋ジストロフィー；６６５、７２６、７３９、７８８、７９１、８８１、４９９９、５００１、吐き気、むかつき；６６７、７２８、７４１、７８８、７９１、８８１、４９９９、５００１、首全般；１９、５９、７１、９６、１２４、６６７、７２８、７４１、７８８、７９１、８８１、４９９９、５００１、歯神経炎症；６６７、７２８、７４１、７８８、７９１、８８１、９９９９、１０００１、神経過敏（鎮静効果あり）；４９９９、神経痛；２１、６１、７３、９６、１２６、６６７、７２６、７４１、７８８、８７９、９９９９、１０００１、神経衰弱症（疲労疲れ）；６６５、７２６、７３９、７８６、７９１、８８１、４９９９、５００１、神経炎；６６５、７２６、７３９、７８６、７９１、８８１、９９９９、１０００１、神経症ノイローゼ；６６５、７２６、７３９、７８６、７９１、８８１、９９９９、１０００１、ニコチン中毒；１９、６１、９６、１２４、６６７、７２６、７４１、７８６、７９１、８７９、９９９９、１０００１、鼻の不調；６６５、７２６、７２８、７３９、７８６、７８８、７９１、８８１、肥満；１９、６１、９６、１２４、６６７、７２６、７４１、７８６、７９１、８７９、９９９９、１０００１、後頭部の神経痛；１９、６１、７３、９４、１２４、６６５、７２６、７３９、７８８、７９１、８８１、４９９９、５００１、睾丸炎；６６５、７２８、７４１、７８８、７９１、７９９、７９９、８０１、８８１、骨関節炎；６６５、７２８、７４１、７８８、７９１、８８１、１４９９、１５０１、１５５１、１６０１、１８３９、１９９９、骨髄炎；６６５、７２８、７４１、７８８、７９１、８８１、４９９９、５００１、卵巣全般；７２６、７８８、８８１、苦痛、痛み；６６５、７２８、７３９、７８６、７８９、８８１、１８４１、１９９９、膵臓；１４、１６、１９、６１、７３、９４、１２４、６６５、７２８、７３９、７８８、７９１、８８１、寄生虫；１９、７３、９６、１１９、１２１、１２６、４３９、４４１、４４７、６６５、７２６、７３９、７８６、７９１、７９９、８８１、副甲状腺；６６５、７２６、７２８、７４１、７８６、７８８、７９１、８７９、８８１、骨盤全般；１９、２１、６１、７１、９６、１２６、６５９、６６１、６６５、７２８、７４１、７８８、７９１、８８１、１４９９、１５０１、１５５１、１５９９、１８４１、１９９９、心嚢炎；６６５、７２６、７２８、７４１、７８６、７８８、７９１、８７９、８８１、持続性の病気；１９、２１、６１、７１、９４、１１９、１２１、１２４、４９９９、咽頭炎；６６７、７２６、７２８、７４１、７８６、７８８、７９１、８７９、８８１、痔疾；１９、２１、６１、７１、９４、１２４、７８８、７９１、７９９、８０１、８７９、８８１、ぎょう虫、寄生虫；１９、２１、６１、７３、９６、１１９、１２１、１２４、７８８、７９１、７９９、８０１、胎盤（後産）；６６５、７２６、７２８、７４１、７８６、７８８、７９１、８７９、８８１、血漿、リンパ漿（きれいにする）；１９、６１、９６、１２４、６６７、７２６、７４１、７８６、７９１、８７９、４９９９、１０００１、肋膜炎、
（胸膜）；１９、２１、５９、７１、９４、１２４、６６５、７２６、７４１、７８９、８７９、４９９９、５００１、肺炎；１９、２１、７１、９４、１２４、６６５、７２６、７４１、７６９、７７１、７７５、７７７、７８８、７９１、８７９、８８１、４９９９、５００１、毒（薬）、ボツリン中毒、プトマイン中毒、麻薬；９９９９、急性灰白髄炎；６６５、７２８、７４１、７８８、７９１、８７９、１４９９、１５０１、１５５１、１６０１、１８３９、１９９９、ポリープ（鼻茸）；１８４１、１９９９、２００１、２１２６、２１２７、２１２９、前立腺炎；６６５、７２６、７４１、７８８、７９１、８７９、４９９９、乾癬；１９、２１、６１、７１、９４、１２４、６６５、７２６、７３９、７８８、７９１、８８１、４９９９、５００１、眼瞼下垂病；６６５、７２６、７３９、７８８、７９１、８８１、４９９９、９９９９、膿漏；１９、２１、５９、７１、９４、１２４、６６５、７２６、７３９、７８８、７９１、４９９９、狂犬病、恐水病；１９、２１、５９、７１、９４、１１９、１２１、１２６、６６５、７２８、７４１、７８８、７９１、８７９、鼻カタル；１９、２１、６１、７１、９６、１１９、１２１、１２６、６６７、７２８、７４１、７８８、８８１、くる病；１９、６１、９６、１２４、６６７、７２６、７４１、７８６、７９１、８７９、４９９９、１０００１、輪癬、たむし；１９、２１、５９、７１、９４、１１９、１２１、１２４、７８８、７９１、７９９、８０１、肉腫；１９９７、１９９９、２００１、２００９、２０９９、２１０１、２１２６、２１２７、猩紅熱；６６５、７２６、７２７、７２９、７３９、７８６、７８８、７９１、８７９、８８１、壊血病；１９、６１、９６、１２４、６６７、７２６、７４１、７８６、７９１、８７９、４９９９、１０００１、帯状疱疹；１５０１、１５４９、１５５１、１６０１、１８３９、１９９９、２００１、静脈洞瘻；１９、２１、５９、７１、９６、１１９、１２１、１２４、６６５、７２６、７３９、７８８、７８９、８８１、静脈洞炎；６６５、７２６、７２８、７４１、７８６、７８８、７９１、８７９、８８１、皮膚（出血）；７８６、７９１、７９９、８０１、４９９９、５００１、９９９９、眠り病；１９、２１、５９、７１、９６、１１９、１２１、１２６、６６７、７２８、７４１、７８８、７９１、８８１、椎間板変位；６６５、７２８、７３９、７８８、７８９、９９９９、１０，００１、天然痘、ほうそう；６６７、７２６、７２７、７２９、７４１、７８６、７８８、７９１、８７９、８８１、におい（欠乏、不足）；１９、２１、５９、７１、９６、１２６、９９９９、１０００１、病的なにおい；６６５、７２８、７３９、７８８、７９１、７９９、８０１、くしゃみ；６６５、７２８、７３９、７８８、７８９、８８１、９９９９、１０００１、咽頭炎；６６５、７２６、７２７、７２９、７３９、７８６、７８８、７８９、８７９、８８１、筋肉のけいれん；１９、２１、５９、７１、９４、１２４、９９９９、１０００１、無意識精液漏；１９、２１、５９、７１、９４、１２４、９９９９、１０００１、脾臓（肥大）；１９、２１、６１、７１、９４、１２６、脊椎炎；７８８、７８９、７９９、８０１、８７９、８８１、１５４９、１５５９、１５６１、１５７１、捻挫、くじき全般；１９、２１、５９、７１、９４、１２６、４９９９、５００１、吃音；１９、２１、５９、７１、９６、１２６、６６５、７２８、７４１、７８８、７９１、８８１、９９９９、１０００１、ブドウ状球菌；７２４、７２６、７２７、７２８、７２９、７３１、７３９、７８８、７９１、８８１、不妊症（予防）；１８３９、１９９９、２００１、２００７、２００９、２１２６、２１２８、２１２９、４９９９、９９９９、胃けいれん；１９、２１、５９、７１、９６、１２６、６６５、７２６、７３９、７８８、７９１、８８１、９９９９、１０００１、腎臓胆嚢の結石；６６５、７２８、７９１、８０１、８８１、９９９９、１０００１、連鎖状球菌；６６７、７２８、７３９、７８８、７９１、８７４、８７６、８７９、８８１、８８４、８８６、麦粒腫ものもらい；１９、２１、６１、７１、９４、１２６、７８８、７９１、８７９、４９９９、５００１、９９９９、１０００１、日射病；１９、２１、６１、７１、９４、１２６、９９９９、１０００１、副腎刺激；１９、２１、６１、７１、９４、１２６、４９９９、５００１、外科；６６５、７２６、７２８、７４１、７８６、７８８、７９１、８７９、８８１、５００１、腫れ物（くるぶしより下）；１９、２１、５９、７１、９６、１２６、６６５、７２６、７３９、７８８、７９１、８８１、４９９９、９９９９、１０００１、症候群（全般）；１９、２１、５９、７１、９６、１２６、６６５、７２６、７３９、７８８、７９１、８８１、９９９９、１０００１、梅毒；１９、２１、６１、７３、９６、１２４、５９９、６０１、６２４、６２６、６６７、６９９、７０１、７２８、７４１、７８８、７９１、８８１、９９９９、味覚なし；１９、２１、６１、７３、９６、１２６、９９９９、１０００１、破傷風；５９９、６０１、６６１、６６７、７０１、７２８、７４１、７８８、７９１、８８１、視神経床、室（間脳の一部）；１９、２１、６１、７１、９４、１２６、４９９９、５００１、血栓静脈炎；１４９９、１５０１、１５５１、１６０１、鵞口瘡；６６５、７２８、７４１、７８８、７９１、８８１、胸腺（全般）；１９、２１、５９、７１、９４、１２６、６６７、７２８、７４１、７８８、７９１、８８１、４９９９、５００１、甲状腺；１９、５９、７１、９６、１２４、１５９、１６１、組織細胞の刺激；６６５、７２６、７３９、７８８、７９１、８８１、１８４１、１９９９、２００１、２９９９、３００１、４９９９、５００１、扁桃腺炎；１９、２１、６１、７３、９６、１２６、６６７、７２８、７４１、７８８、７９９、８０１、８８１、５００１、歯痛；１９、２１、６６７、７２８、７４１、７８８、７９１、８８１、４９９９、有毒反応；１９、６１、７３、９６、１２４、トラコーマ（目の炎症）；７２６、７８８、８８１、精神的外傷；６６５、７２８、７４１、７８６、７９１、８８１、５００１、９９９９、１０００１、結核；１９、２１、６１、７１、９４、１２６、６６７、７２８、７４１、７８８、７９１、７９９、８０１、１４９９、１５０１、１５４９、１５５１、１５９９、１６０１、腫瘍できもの全般；１８４１、１９９７、１９９９、２００７、２００９、２１２６、２１２８、２１２９、潰瘍；７２６、７７７、７８８、８８１、意識不明、気絶；１９、２１、８０１、５００１、尿道全般的炎症；６６７、７２８、７４１、７８８、７９１、８７９、８８１、ビールス病；７７７、７８８、８０１、８３１、８３９、８８１、１５７１、１９９９、２０５１、２４８８、２４９１、４９９９、いぼ；６６７、７２８、７８６、７８８、１８４１、１９９９、２００１、２００７、２００９、２１２６、２１２８、２１２９、むちうち症；１９、２１、６１、７３、９６、１２６、９９９９、１０００１、黄熱病；１９、２１、６１、７３、９６、８７９、８８１、９９９９、１０００１。
【００７４】
本発明は、前記生体に通電する周波数を、前記選択された周波数のプラス・マイナス３Ｈｚの範囲としたものである。
【００７５】
本発明は、前記低周波電流印加装置及び音波印加装置を備え、前記低周波電流印加装置における治療電極及び不関電極の少なくとも一方が、前記音波印加装置における音波発振子を兼ねたことを特徴としたものである。
【００７６】
本発明は、前記周波数制御装置が、前記発振器に対して、有線又は無線の通信回旋を介して前記周波数選択信号を出力するようにされたものである。
【発明の効果】
【００７７】
本発明によれば、人体に何らの悪影響を与えることなく安全に、著しく治療効果を増大させることができる。
【発明を実施するための最良の形態】
【００７８】
以下本発明の実施の形態の例を図面を参照して詳細に説明する。
【００７９】
図１に示されるように、本発明の実施の形態の第１例に係る波動治療装置１は、波動の低電流を発生する発振器１２と、この発振器１２から出力される電流が印加されるべき治療電極１４及び不関電極１６と、を備えてなる低周波電流印加装置１０のみから構成されている。
【００８０】
前記治療電極１４は人体の治療すべき部位に当てられる電極であり、又不関電極１６は、前記治療電極１４に対となって人体に当てられ、該人体に通電するための電極である。
【００８１】
これらの治療電極１４、不関電極１６は、例えば、導電性ゴム板、あるいは導電性ゴム板の表面に導電性粘着シートを付加した構成とされ、人体に密着できるようにされている。
【００８２】
前記発振器１２は、発振周波数を１４〜１０００１Ｈｚの間の範囲で予め設定された複数種類の周波数から選択して、波動側から設定時間毎に、順次高く変更する周波数制御装置１８と、この周波数制御装置１８からの制御信号に基づいて、所定の周波数の電流を発振させる発振部２０とを備えて構成されている。
【００８３】
本発明者は、実験により、１４〜１０００１Ｈｚの範囲では、次の１１１種類の周波数の電流が特に治療効果を有し、又、これらの周波数のプラス・マイナス３Ｈｚの範囲の周波数も、−前記に準じる治療効果を有することを発見した。他の周波数は治療効果がわずか、皆無、あるいは有害であった。前記複数種類の周波数は１１１種類の内から選択される。
【００８４】
１４、１６、１９、２１、２５、２７、５９、６１、７１、７３、９４、９６、１１９、１２１、１２４、１２６、１５９、１６１、４４１、４４７、４４９、４６４、４６６、４９９、５０１、５９９、６０１、６２４、６２６、６５９、６６１、６６５、６６７、６８９、６９１、６９９、７０１、７２４、７２６、７２７、７２８、７２９、７３１、７３９、７４１、７６９、７７１、７７５、７７７、７８６、７８８、７８９、７９１、７９９、８００、８０１、８０２、８０３、８０４、８０５、８３１、８３９、８７４、８７６、８７９、８８１、８８４、８８６、８９１、１４９９、１５０１、１５４９、１５５１、１５５９、１５６１、１５６９、１５７１、１５９９、１６０１、１７９９、１８０１、１８３９、１８４１、１８４９、１８５１、１８９９、１９０１、１９９７、１９９９、２００１、２００７、２００９、２０５１、２０９９、２１０１、２１２１、２１２６、２１２７、２１２８、２１２９、２１３１、２４８８、２４８９、２４９０、２４９１、２９９９、３００１、４９９９、５００１、９９９９及び１０００１Ｈｚ。
【００８５】
又、前記周波数制御装置１８は、疾病の種類毎に、これに対応して予め複数種類の周波数の情報を記憶するメモリー部２２と、疾病の種類に応じて入力される指示信号に応じて前記対応する複数種類の周波数の情報を前記メモリー部２２から読み出し、該読み出した周波数の情報に基づき前記発振部２０の発振周波数を順次変更させる選択信号出力部２４と、後述の手操作入力部３０とを有している。
【００８６】
前記発振部２０は、高周波発振器２６と、この高周波発振器２６から発振される高周波電流の周波数を分周する分周器を含む周波数変換部２８とを備え、高周波発振器２６から発振された高周波電流を、選択信号出力部２４からの指令信号に基づいて、予め決定されている複数種類の周波数の一つに変換するようにされている。
【００８７】
前記メモリー部２２には、疾病の種類の番号及びこれに対応する周波数の情報がテーブルとして、図２に示されるように記憶されている。例えば病名が膿瘍、腫物の場合は、Ｎｏ．００１で１９、２１、５９、７３、９４、１２６、６６５、７２８、７３９、７８８、７８９、８８１Ｈｚの周波数選択情報が予め記憶されている。他に、例えば病名が腹痛の場合は、Ｎｏ．００２で８７９、４９９９、５００１、９９９９、１０００１Ｈｚの合計５種類の周波数選択情報が記憶されている。更に病名にきびの場合は、Ｎｏ．００４で、６６５、７２８、７３９、７８８、７８９、８８１、４９９９Ｈｚの合計７種類の周波数選択情報が記憶されている。
【００８８】
具体的には、次の３２５種の疾病または故障個所についての周波数選択情報が記憶されている。
【００８９】
膿瘍、腫物；１９、２１、５９、７３、９４、１２６、６６５、７２８、７３９、７８８、７８９、８８１、腹痛；８７９、４９９９、５００１、９９９９、１０００１、アシドージス；１９、６１、７１、９６、１２４、６６７、７２６、７４１、７８６、７９１、８７９、１０００１、にきび；６６５、７２８、７３９、７８８、７８９、８８１、４９９９、アクチノミコーゼ；１９、６１、７１、９６、１２４、６６７、７２６、７４１、７８６、７９１、８７９、８９１、劇痛；８７９、９９９９、１０００１、アデノイド；１９、６１、７１、９６、１２４、６６７、７２６、７４１、７８６、７９１、７９９、８８１、癒着；６６５、７２８、７３９、７８８、７９１、８８１、４９９９、後天性免疫不全症；２１、５９、７３、９４、９９、１２１、１２６、４４７、４４９、４６４、４６６、４９９、５９９、６２６、６５９、６６７、７２８、７３９、７７７、７８８、７９１、７９９、８０２、８０５、８８１、１４９９、１５４９、１５７１、１６０１、１７９９、１８３９、１９９９、２００１、２００９、２１２８、２４８８、２４８９、２４９０、２４９１、４９９９、９９９９、アルコール中毒；６６５、７２６、７４１、７８６、７９１、８８１、９９９９、１０００１、アレルギー；６６７、７２６、７４１、７８６、７９１、８７９、４９９９、５００１、禿頭病（ｈａｉｒ  ｌｏｓｓ）；６６５、７２８、７４１、７８６、７９１、８７９、９９９９、１０００１、無月経（月経不首尾）；６６５、７２８、７４１、７８８、７９１、８８１、９９９９、１０００１、貧血症；１９、６１、９６、１２４、６６７、７２６、７４１、７８６、７９１、８７９、４９９９、１０００１、動脈瘤；１９、２１、６１、７１、９４、１２６、４９９９、５００１、肛門（かゆみ）；２１、５９、７３、９４、１２４、７２６、７８８、７９１、８７９、９９９９、１０００１、脾脱疽、炭疽熱（家畜の伝染病）；６６５、７２８、７３９、７８８、７９１、８７９、殺菌、滅菌；６６５、７２６、７４１、７８６、７８９、８８１、５００１、虫垂炎、盲腸炎；６６７、７２８、７４１、７８８、７９１、８８１、食欲不振；６６５、７２６、７３９、７８６、７８９、８７９、１０００１、エイズ関連症候群；６２６、６６１、動脈（硬化）；２１、６１、７３、９５、１２４、６６５、７２６、７４１、７８８、７９１、８８１、４９９９、９９９９、動脈（ｓｔｉｍｕｌａｔｅ）；６６５、７２８、７４１、７８８、７９１、８０１、８７９、９９９９、１０００１、動脈硬化症；２１、６１、７１、９６、１２４、６６５、７２８、７４１、７８８、７９１、８８１、４９９９、５００１、９９９９、１０００１、関節炎；１９、２１、５９、７１、９４、１２６、６６７、７２６、７３９、７８６、７９１、８０１、８８１、１５０１、１８４１、１９９９、２００１、２００７、２１２６、４９９９、５００１、９９９９、１０００１、運動失調症（筋肉）；６６５、７２６、７３９、７８８、７９１、８８１、４９９９、５００１、９９９９、１０００１、水虫；２１、５９、７３、９６、１２４、６６５、７２６、７４１、７８６、７９１、８７９、５００１、喘息；６６７、７２���、７４１、７８８、７８９、８８１、脳、脊髄の星形細胞；６６５、７２８、７４１、７８６、７８９、８７９、１９９９、２００１、２００７、２００９、２１２６、２１２８、自家中毒；６６５、７２６、７３９、７８８、７９１、８７９、９９９９、１０００１、桿ウィルス；６６５、７２６、７３９、７８６、７８９、８０１、８０２、８０４、５００１、背中の痛み；６６７、７２８、７４１、７８８、７９１、８８１、９９９９、１０００１、不正呼吸；１９、２１、６１、７３、９６、１２６、４９９９、５００１、短気（おこりっぽい）；６６７、７２６、７４１、７８６、７８９、８８１、５００１、９９９９、１０００１、火ぶくれ、水ぶくれ；１９、６１、７３、９６、１２６、６６７、７２８、７３９、８７９、水ぶくれ、水泡；９９９９、血液の病気；６６５、７２８、７３９、７８６、７９１、８８１、低血圧；１９、６１、９６、１２４、６６７、７２６、７４１、７８６、７９１、８７９、１０００１、腫れ物、おでき；１９、２１、５９、７１、９４、１２４、６６７、７２８、７３９、７８６、７９１、８７９、腫れ物（かぶれ、感染）；１９、２１、５９、７３、９６、１２６、６６７、７２８、７４１、７８８、７８９、８８１、４９９９、５００１、骨（ひび、骨折）；１９、６１、９６、１２４、６６７、７２６、７４１、７８６、７９１、８７９、１０００１、胸の腫瘍；２００７、２１２７、２１２９、胸部；１９、６１、９６、１２４、６６７、７２６、７４１、７８６、７９１、８７９、４９９９、１０００１、呼吸；１９、６１、９６、１２４、６６７、７２６、７４１、７８６、７９１、８７９、５００１、１０００１、ブライト病（最も危険な腎臓炎）、腎炎；６６７、７２６、７３９、７８８、７９１、８０１、８７９、肺炎；６６５、７２８、７４１、７７７、７９１、８８１、気管支炎；６６７、７２８、７４１、８７９、打撲、傷、打ち身；６６７、７２６、７４１、７９１、８８１、９９９９、１０００１、腺ペスト、伝染病；１９、６１、７３、９４、１２４、４９９、５０１、４９９９、外反拇趾の痛み；１９、２１、６１、７３、９４、１２４、６６７、７２６、７３９、７８８、７９１、４９９９、５００１、やけど（放熱）；２１２６、９９９９、１０００１、やけど（熱）；１９、６１、９６、１２４、６６７、７２６、７４１、７８６、７９１、８７９、１０００１、滑液嚢炎；６６５、７２６、７３９、７８６、７９１、８８１、蝶型紅班性狼瘡；６６５、７２８、７３９、７７５、７７７、７８８、７９１、１８４１、１８４９、癌（肉腫）；１９９９、２００１、２００７、２００９、２１２６、２１２８、癌（一般的、予防の為）；１９９７、１９９９、癌（内部、外部）；２１２６、癌（白血病）；１９、６１、９６、１２４、６６７、７２６、７４１、７８６、７９１、８７９、２１２８、１０００１、水癌；１９、５９、７３、９６、１２４、６６５、７２８、７４１、７８８、７９１、８０１、８８１、４９９９、５００１、菌状腫、海綿腫、魚の皮膚病；４６６、２１２８、にきび、吹き出物；２１、６１、７３、９４、１２６、６６７、７２８、７３９、７８８、７９１、８８１、４９９９、５００１、癌腫；２１２１���２１２６、２１３１、心臓病（鎮静の効果あり）；６６５、７２８、７３９、７８６、７８９、８８１、４９９９、５０００、９９９９、１０００１、白内障；６６７、７２６、７４１、７８８、７９１、８７９、４９９９、５００１、９９９９、１０００１、カタル（鼻喉の粘膜の炎症）；１９、２１、５９、７３、９６、１２４、６６５、７２６、７４１、７８８、７８９、８７９、脳性小児マヒ；６６５、７２６、７３９、７８８、７９１、８８１、９９９９、１０００１、脳脊髄膜炎；６６７、７２８、７４１、７８６、７８９、８７９、９９９９、１００００、頸部の腺（こぶ、腫れ物）；６６７、７２８、７４１、７８６、７８９、８７９、４９９９、５００１、子宮頚管炎；１９、５９、７３、９６、１２４、６６５、７２８、７４１、７８８、７９１、８７９、水疱瘡、１９、２１、６１、７１、９４、１２６、６６７、７２８、７３９、７８６、７８９、８８１、しもやけ、凍傷；１９、２１、５９、７３、９６、１２６、４９９９、５００１、心身機能の不調；６５、７２８、８８１、冷え性（足）；１９、２１、６１、７３、９４、１２４、４９９９、５００１、冷え性（手）；１９、２１、５９、７１、９６、１２６、４９９９、５００１、かぜ、咳；６６５、７２７、７２９、７４１、７８８、７９１、８０１、８８１、４９９９、５００１、９９９９、１０００１、かぜ（頭）；６６５、７２７、７２９、７３９、７８６、７８９、８８１、４９９９、５００１、腹痛；１９、６１、７３、９６、１２４、６６７、７２８、７３９、７８８、７８９、７９１、７９９、８０１、８８１、大腸炎（結腸の粘膜）；２１、５９、７１、９４、１２６、６６５、７２６、７４１、７８６、７８９、７９９、８０１、８８１、９９９９、１０００１、結膜炎（まぶた、眼瞼の膨張）；６６５、７２６、７２７、７２９、７４１、７８８、７８９、８０１、８８１、便秘；１９、５９、７３、９６、１２６、６６７、７２８、７４１、７８６、７８９、７９１、７９９、８０１、８８１、腫れ物収縮、うみ排出；２１、６１、７１、９４、１２４、６６５、７２６、７８８、７９１、８８１、９９９９、１０００１、けいれん、ひきつけ；６６５、７２６、７３９、７８６、７９１、８７９、４９９９、９９９９、１０００１、うおのめ；１９、２１、６１、７１、９４、１２６、６６７、７２６、７４１、７８８、７９１、８７９、４９９９、９９９９、１０００１、鼻風邪；６６７、７２６、７３９、７８８、７９１、８８１、肋骨の痛み；６６７、７２８、７３９、７８８、７９１、８７９、５００１、９９９９、１０００１、けいれん、こむらがえり；６６５、７２６、７４１、７８８、７８９、８８１、４９９９、９９９９、１０００１、切り傷（スピード治療）；１９、２１、５９、７３、９６、１２６、６６７、７２８、７４１、７８８、７９１、８８１、４９９９、５００１、９９９９、膀胱炎（膀胱炎症）；２１、６１、７１、９４、１２６、６６５、７３９、７８８、７９１、７９９、８０１、８８１、４９９９、９９９９、１０００１、頭のふけ；２１、６１、７１、９４、１２６、６６７、７２８、７４１、７８８、７９１、８８１、４９９９、５００１、つんぼ；１９、２１、５９、���３、９６、１２６、６６７、７３９、７８８、７８９、７９９、８０１、８８１、４９９９、９９９９、１０００１、意気消沈、ゆううつ；９９９９、解毒；１９、６１、７１、９４、１２６、糖尿病；２１、５９、７３、９４、１２６、６６５、７２８、７８６、７９１、７９９、８８１、４９９９、９９９９、１０００１、下痢（赤痢）；６６５、７２８、７３９、７８８、７８９、８０１、８７９、４９９９、５００１、消化力；６６７、７２６、７４１、７８６、７９１、８７９、４９９９、５００１、ジフテリア；１９、２１、６１、７１、９６、１２４、６６７、７２６、７２８、７３９、７８６、７８８、７９１、８７９、８８１、膨張した器官；２１、５９、７３、９４、１２６、６６５、７２８、７３９、７８８、７８９、８８１、９９９９、１０００１、膨張した胃；６６７、７２６、７４１、７８６、７９１、７９９、８０１、８７９、４９９９、５００１、めまい；１９、２１、６１、７１、９６、１２４、９９９９、１０００１、水踵症；６６５、７２８、７８６、７９１、９９９９、１０００１、薬物中毒；１９、２１、５９、７３、９４、１２６、６６５、７２８、７３９、７８８、７８９、８８１、４９９９、９９９９、１０００１、十二指腸潰瘍；６６７、７２６、７２８、７４１、７８６、７８８、７９１、８７９、８８１、９９９９、１０００１、月経困難（月経痛）；６６５、７２６、７２８、７３９、７８８、７８９、７９９、８７９、８８１、消化不良、胃弱；６６７、７２６、７４１、７８６、７９１、７９９、８０１、８８１、大腸菌；７９１、７９８、８００、８０１、８０２、８０３、８０５、耳；１９、２１、５９、７３、９４、１２６、８７９、８８１、４９９９、５００１、９９９９、湿疹；６６７、７２６、７４１、１４９９、１５０１、１５４９、１５５１、４９９９、浮腫、肺水腫；６６５、７２６、７２８、７４１、７８６、７８８、７８９、８７９、８８１、広がった腺；１９、６１、７１、９６、１２４、６６７、７２６、７４１、７８６、７９１、９９９９、１０００１、寝小便；６６７、７２６、７４１、７８６、７９１、９９９９、１０００１、精巣上体炎、副睾丸炎；１９、２１、５９、７３、９４、１２６、６６５、７２８、７３９、７８８、７８９、８８１、１４９９、１５０１、てんかん；１９、２１、６１、７１、９６、１１９、１２１、１２４、７２８、７３９、７８８、７８９
、８７９、ＥＢウィルス；４６４、４６６、６５９、６６１、６６７、７２６、７４１、７８６、７９１、８７９、１９９９、２００１、２００７、２１２６、２１２８、丹毒（皮膚の炎症）；２１、５９、７３、９４、１２６、５９９、６０１、６６１、６６７、７２８、７４１、７８８、７９１、１９９７、１９９９、２００１、２００９、食道；６６５、７２８、７４１、７８８、７９１、８８１、耳管、鼻、耳；１９、２１、６１、７１、９６、１２４、６６７、７２６、７４１、７８６、７９１、７９９、８０１、８８１、疲れ目；７２８、７８８、８７９、目（全般）；１９、２１、６１、７３、９４、１２６、４９９９、５００１、９９９９、１０００１、顔面まひ；６６５、７２６、７３９、７８８、８８１、４９９９、５００１、９９９９、１０００１、顔のけいれん；６６７、７２８、７４１、７８６、７９１、８７９、９９９９、１０００１、気絶、失神；１９、２１、６１、７１、９４、１２６、６６５、７２８、７３９、７８８、７８９、８８１、４９９９、５００１、筋膜、筋鞘；１９、２１、５９、７３、９６、１２４、６６７、７２６、７４１、７８６、７９１、８７９、４９９９、５００１、疲労；６６５、７３９、７９１、１８４１、１９９９、９９９９、１０００１、熱（全般）；１９、２１、５９、７１、９６、１２６、６６５、７２８、７４１、７８８、７９１、８８１、４９９９、５００１、直腸の亀裂ひび；１９、２１、６１、７３、９４、１２４、６６７、７２６、７３９、７８６、７８９、８７９、９９９９、１０００１、瘻管、瘻（直腸潰瘍）、６６７、７２６、７４１、７８８、７９１、８７９、胃腸内ガス；６６７、７２８、７４１、７８８、７９１、７９９、８０１、８８１、４９９９、５００１、インフルエンザ；１９、６１、７１、９４、１２４、６６７、７２８、７４１、７８６、７９１、７９９、８０１、８８１、食中毒；６６７、７２６、７３９、７８８、７９１、８７９、９９９９、１０００１、足（普通の傷）；６６５、７２８、７３９、７８８、７９１、８８１、９９９９、１０００１、しもやけ；６６５、７２８、７４１、７８８、７９１、８７９、４９９９、５００１、胆石；１９、２１、６１、７１、９４、１２４、６６７、７２８、７４１、７８８、７８９、８８１、４９９９、胆嚢；１９、２１、６１、７１、９４、１２４、６６７、７２８、７４１、７８８、７８９、８８１、４９９９、５００１、壊疽；１９、２１、６６７、７２６、７２８、７４１、７８６、７８８、７８９、８７９、８８１、４９９９、胃炎；１９、２１、６１、７３、９６、１２４、６６７、７２８、７４１、７８８、７８９、８８１、４９９９、５００１、全ての腺；１９、２１、６１、７３、９６、１２６、７２８、７４１、７８８、７８９、８７９、９９９９、１０００１、緑内障；１９、６１、９６、１２４、６６７、７２６、７４１、７８６、７９１、８７９、１６０１、１０００１、甲状腺腫；１９、２１、５９、７１、９６、１２６、６６７、７２８、７４１、７８８、７９１、８８１、４９９９、５００１、９９９９、１０００１、生殖腺（炎症）；６６７、７２６、７２８、７４１、７８６、７８８、７９１、８７９、８８１、４９９９、淋病、５９９、６０１、６５９、６６１、６６７、６９９、７０１、７２８、７４１、７８８、７８９、８８１、４９９９、痛風、１９、２１、６１、７１、９４、１２４、６６７、７２８、７４１、７８８、７８９、８８１、４９９９、９９９９、１０００１、結砂病（尿中沈殿物）；６６７、７２８、７３９、７８６、７８９、８７９、４９９９、５００１、歯茎炎症；１９、２１、６１、７３、９４、１２４、７９１、７９９、８０１、８８１、４９９９、５００１、９９９９、１０００１、傷んだ髪；１９、２１、５９、７１、９４、１２６、６６７、７２８、７４１、７９１、８０１、８８１、９９９９、１０００１、幻覚、１９、２１、６１、７３、９６、１２４、６６５、７２６、７４１、７８８、８８１、４９９９、５００１、９９９９、二日酔い；１９、６１、９６、１２４、６６７、７２６、７４１、７８６、７９１、８７９、９９９９、１０００１、枯れ草熱；６６５、７２８、７４１、７８８、７９１、８８１、４９９９、５００１、頭（圧迫）；１９、２１、６１、７３、９６、１２４、６６５、７２６、７３９、７８８、７９１、８７９、４９９９、５００１、頭痛；１９、２１、６１、７３、９６、１２４、６６７、７２６、７４１、７８８、７９１、８８１、９９９９、１０００１、心臓（全般）；６６５、７２８、７４１、７８８、７９１、８８１、４９９９、５００１、９９９９、出血；８０１、９９９９、痔疾患；１９、２１、５９、７１、９６、１２６、６６７、７２８、７４１、７８９、７９９、８０１、８７９、８８１、肝炎（肝臓の炎症）；６６５、７２６、７２７、７２９、７４１、７９１、８０１、８７９、８８１、椎間板ヘルニア；６６５、７２８、７４１、７８８、７９１、９９９９、１０００１、ヘルニア；６６７、７２６、７３９、７８８、７８９、４９９９、５００１、ヘルペス（帯状疱疹水泡）；６６５、７２８、７４１、７８８、８７９、１５４９、１５５１、１８４１、１８４９、１８５１、１８９９、１９０１、１９９７、２００１、２００７、しゃっくり；１９、２１、５９、７３、９４、１２４、９９９９、１０００１、おしりの痛み；１９、５９、７１、９４、１２４、６６５、７２８、７４１、７８８、７９１、８８１、４９９９、５００１、じんましん；６６７、７２８、７４１、７８８、７９１、８８１、１７９９、１８０１、４９９９、しゃがれ声；６６５、７２６、７２８、７４１、７８６、７８８、７８９、８７９、８８１、更年期ののぼせ；１９、６１、９６、１２４、６６７、７２６、７４１、７８６、７９１、８７９、９９９９、１０００１、水腫；６６７、７２８、７４１、７８８、７９１、８８１、９９９９、１０００１、胃酸過多；１９、２１、６１、７３、９６、１２６、６６７、７２８、７４１、７８８、７９１、８８１、９９９９、１０００１、高血圧；１９、２１、６１、７３、９６、１２６、６６７、７２８、７４１、７８８、７９１、８８１、９９９９、１０００１、ヒポコンデニー症（ゆううつ病）；１９、２１、６１、７３、９６、１２６、６６７、７２８、７４１、７８８、７９１、８８１、９９９９、１０００１、呼吸困難、低酸素；６６７、７２８、７４１、７８８、７９１、８８１、９９９９、１０００１、結腸の炎症；１９、５９、７１、９６、１２６、６６７、７２８、７４１、７８８、７９１、７９９、８０１、８８１、無力、無気力；１９、６１、９６、１２４、６６７、７２６、７４１、７８６、７９１、８７９、９９９９、１０００１、巨人症；１９、６１、９６、１２４、６６７、７２６、７４１、７８６、７９１、８７９、９９９９１０００１、、消化不良、胃弱；６６５、７２８、７４１、７８８、７９１、８８１、４９９９、５００１、小児マヒ；６６７、７２８、７４１、７８８、７９１、８８１、１４９９、１５０１、１５５１、１５９９、１８４１、１９９９、伝染病；１９、２１、７２６、７２８、７２９、７４１、７８８、７９１、８８１、胸の炎症；６６５、７２８、７３９、７８６、７８９、８８１、４９９９、５００１、インフルエンザ、流行性感冒；１９、２１、６１、７３、９６、１２４、６６５、７２６、７４１、７８８、７９１、７９９、８０１、８７９、８８１、けが；４９９９、５００１、９９９９、虫さされ；６６５、７２６、７２８、７４１、７８８、７９１、８７９、８８１、不眠症；６６７、７２８、７３９、７８８、７９１、８８１、９９９９、１０００１、知能、知性（増すために）；１９、２１、６１、７３、９４、１２４、９９９９、１０００１、肋間神経痛；６６５、７２８、７４１、７８８、７９１、７９９、８０１、８８１、９９９９、１０００１、腸（炎症）；６６７、７２６、７４１、７８８、７８９、８８１、腸（けいれん）；６６５、７２８、７４１、７８８、７９１、７９９、８０１、４９９９、５００１、腸（全般）；６６５、７２８、７４１、７８８、７８９、７９９、８０１、８８１、酔い、興奮；１９、６１、９６、１２４、６６７、７２６、７４１、７８６、７９１、８７９、９９９９、１０００１、怒りっぽい、短気；１９、２１、５９、７３、９４、１２４、４９９９、５００１、９９９９、１０００１、肛門のかゆみ；６６７、７２８、７４１、７８８、７８９、８８１、４９９９、５００１、黄疸；６６７、７２８、７４１、７８８、７９１、８８１、４９９９、５００１、関節（全般的な炎症）；６６７、７２８、７４１、７８８、７９１、８８１、９９９９、１０００１、腎臓（全般）；１９、２１、５９、７１、９４、１２４、６６５、７２８、７８８、７９１、８８１、９９９９、１０００１、ひざの痛み；２１、６１、７１、９６、１２６、６６７、７２８、７４１、７８８、７９１、７９９、８０１、８８１、９９９９、乳の分泌増進；１９、６１、９６、１２４、６６７、７２６、７４１、７８６、７９１、８７９、４９９９、１０００１、だるさ、疲労、虚弱；１９、２１、５９、７１、９４、１２４、６６５、７２８、７８８、７９１、８８１、慢性の下痢；１９、６１、７３、９６、１２４、６６７、７２８、７４１、７８８、７９１、７９９、８０１、８８１、ハンセン病；５９９、６０１、６６７、７２６、７３９、７７７、７９１、８８１、９９９９、１０００１、白血球；１９、５９、７３、９６、１２６、６６７、７２８、７４１、４９９９、５００１、白血病、がん；６６５、７２８、７３９、７８６、７９１、７７９、１９９９、２００１、２００９、２１２６、２１２８、膣からの白いおりものの異常分泌；６６５、７２６、７２８、７４１、７８６、７８８、７９１、８７９、８８１、肝臓全般；６６５、７２６、７２７、７２９、７３９、７８６、７８８、７８９、７９１、８８１、運動失調症；６６７、７２８、７４１、７８８、７９１、８８１、９９９９、１０００１、腰痛；６６７、７２８、７４１、７８８、７９１、８８１、９９９９、１０００１、ゆがんだ腰の脊椎骨；６６７、７２８、７４１、７８８、７９１、８８１、９９９９、１０００１、狼瘡；１４９９、１５４９、１５５１、１６０１、１８４１、１９９７、リンパ組織全般；６６５、７２８、７４１、７８８、７９１、８８１、４９９９、５００１、マラリア；１９、２１、５９、７１、９４、１２６、はしか；６６５、７２６、７２７、７２９、７４１、７８６、７８８、７９１、８７９、８８１、うつ病；１９、６１、９６、１２４、６６７、７２６、７４１、７８６、７９１、８７９、４９９９、１０００１、記憶力；１９、２１、５９、７１、９４、１２４、９９９９、１０００１、メニエール病；１９、２１、６１、７１、９６、１２６、６６７、７２８、７４１、７８８、７９１、８７９、８８１、４９９９、５００１、９９９９、１０００１、髄膜炎、脳膜炎；１９、２１、６１、７３、９６、１２６、４９９９、５００１、月経停止；６６５、７２８、７４１、７８８、７９１、８８１、９９９９、１０００１、月経痛；１９、２５、２７、６１、７３、９６、１２６、知恵遅れ；１９、２１、５９、７３、９６、１２４、９９９９、１０００１、偏頭痛；１９、２１、６６５、７２８、７４１、８７９、７９１、８８１、４９９９、５００１、ダウン症；２１、４９９９、口内発疹；１９、２１、５９、７１、９４、１２４、６６５、７２６、７４１、７８８、７９１、８８１、４９９９、便通の病気；１９、９９９９、多発性硬化症；１９、５９、７１、９４、１２４、６６５、７２６、７３９、７８８、７８９、８７９、４９９９、５００１、流行性耳下腺炎（おたふく風邪）；６６５、７２６、７２７、７２９、７４１、７８６、７８８、７９１、８７９、８８１、筋肉（修復）；１９、６１、９６、１２４、６６７、７２６、７４１、７８６、７９１、８７９、４９９９、１０００１、筋ジストロフィー；６６５、７２６、７３９、７８８、７９１、８８１、４９９９、５００１、吐き気、むかつき；６６７、７２８、７４１、７８８、７９１、８８１、４９
９９、５００１、首全般；１９、５９、７１、９６、１２４、６６７、７２８、７４１、７８８、７９１、８８１、４９９９、５００１、腎炎；１９、２１、６１、７３、９６、１２６、６６７、７２８、７４１、７８８、７９１、７９９、８８１、９９９９、１０００１、歯神経炎症；６６７、７２８、７４１、７８８、７９１、８８１、９９９９、１０００１、神経過敏（鎮静効果あり）；４９９９、神経痛；２１、６１、７３、９６、１２６、６６７、７２６、７４１、７８８、８７９、９９９９、１０００１、神経衰弱症（疲労疲れ）；６６５、７２６、７３９、７８６、７９１、８８１、４９９９、５００１、神経炎；６６５、７２６、７３９、７８６、７９１、８８１、９９９９、１０００１、神経症ノイローゼ；６６５、７２６、７３９、７８６、７９１、８８１、９９９９、１０００１、ニコチン中毒；１９、６１、９６、１２４、６６７、７２６、７４１、７８６、７９１、８７９、９９９９、１０００１、鼻の不調；６６５、７２６、７２８、７３９、７８６、７８８、７９１、８８１、肥満；１９、６１、９６、１２４、６６７、７２６、７４１、７８６、７９１、８７９、９９９９、１０００１、後頭部の神経痛；１９、６１、７３、９４、１２４、６６５、７２６、７３９、７８８、７９１、８８１、４９９９、５００１、睾丸炎；６６５、７２８、７４１、７８８、７９１、７９９、７９９、８０１、８８１、骨関節炎；６６５、７２８、７４１、７８８、７９１、８８１、１４９９、１５０１、１５５１、１６０１、１８３９、１９９９、骨髄炎；６６５、７２８、７４１、７８８、７９１、８８１、４９９９、５００１、卵巣全般；７２６、７８８、８８１、苦痛、痛み；６６５、７２８、７３９、７８６、７８９、８８１、１８４１、１９９９、パーキンソン病；６６７、７２６、７４１、７９１、８７９、１５０１、１６０１、１８３９、１９９９、２００１、４９９９、５００１、膵臓；１４、１６、１９、６１、７３、９４、１２４、６６５、７２８、７３９、７８８、７９１、８８１、寄生虫；１９、７３、９６、１１９、１２１、１２６、４３９、４４１、４４７、６６５、７２６、７３９、７８６、７９１、７９９、８８１、副甲状腺；６６５、７２６、７２８、７４１、７８６、７８８、７９１、８７９、８８１、骨盤全般；１９、２１、６１、７１、９６、１２６、６５９、６６１、６６５、７２８、７４１、７８８、７９１、８８１、１４９９、１５０１、１５５１、１５９９、１８４１、１９９９、心嚢炎；６６５、７２６、７２８、７４１、７８６、７８８、７９１、８７９、８８１、歯周病；６６５、７２６、７２８、７４１、７８６、７８８、７９１、８７９、８８１、持続性の病気；１９、２１、６１、７１、９４、１１９、１２１、１２４、４９９９、咽頭炎；６６７、７２６、７２８、７４１、７８６、７８８、７９１、８７９、８８１、痔疾；１９、２１、６１、７１、９４、１２４、７８８、７９１、７９９、８０１、８７９、８８１、ぎょう虫、寄生虫；１９、２１、６１、７３、９６、１１９、１２１、１２４、７８８、７９１、７９９、８０１、胎盤（後産）；６６５、７２６、７２８、７４１、７８６、７８８、７９１、８７９、８８１、血漿、リンパ漿（きれいにする）；１９、６１、９６、１２４、６６７、７２６、７４１、７８６、７９１、８７９、４９９９、１０００１、肋膜炎、（胸膜）；１９、２１、５９、７１、９４、１２４、６６５、７２６、７４１、７８９、８７９、４９９９、５００１、肺炎；１９、２１、７１、９４、１２４、６６５、７２６、７４１、７６９、７７１、７７５、７７７、７８８、７９１、８７９、８８１、４９９９、５００１、毒（薬）、ボツリン中毒、プトマイン中毒、麻薬；９９９９、急性灰白髄炎；６６５、７２８、７４１、７８８、７９１、８７９、１４９９、１５０１、１５５１、１６０１、１８３９、１９９９、ポリープ（鼻茸）；１８４１、１９９９、２００１、２１２６、２１２７、２１２９、前立腺炎；６６５、７２６、７４１、７８８、７９１、８７９、４９９９、乾癬；１９、２１、６１、７１、９４、１２４、６６５、７２６、７３９、７８８、７９１、８８１、４９９９、５００１、眼瞼下垂病；６６５、７２６、７３９、７８８、７９１、８８１、４９９９、９９９９、膿漏；１９、２１、５９、７１、９４、１２４、６６５、７２６、７３９、７８８、７９１、４９９９、狂犬病、恐水病；１９、２１、５９、７１、９４、１１９、１２１、１２６、６６５、７２８、７４１、７８８、７９１、８７９、リウマチ；６６５、７２８、７４１、７８８、７９１、８７９、９９９９、１０００１、リウマチ、関節炎；１９、５９、７１、９４、１２４、５９９、６５９、６６７、７２８、７３９、７８８、７９１、８０１、８８１、１５０１、１５４９、１６０１、１８３９、１９９９、２００１、２００７、２１２８、２１２９、４９９９、９９９９、１０００１、鼻カタル；１９、２１、６１、７１、９６、１１９、１２１、１２６、６６７、７２８、７４１、７８８、８８１、くる病；１９、６１、９６、１２４、６６７、７２６、７４１、７８６、７９１、８７９、４９９９、１０００１、輪癬、たむし；１９、２１、５９、７１、９４、１１９、１２１、１２４、７８８、７９１、７９９、８０１、肉腫；１９９７、１９９９、２００１、２００９、２０９９、２１０１、２１２６、２１２７、猩紅熱；６６５、７２６、７２７、７２９、７３９、７８６、７８８、７９１、８７９、８８１、座骨神経痛；１９、２１、５９、７１、９４、１１９、１２１、１２４、６６５、７２６、７３９、７８８、７９１、８８１、壊血病；１９、６１、９６、１２４、６６７、７２６、７４１、７８６、７９１、８７９、４９９９、１０００１、中風、半身マヒ；１９、２１、５９、７１、９４、１２６、４９９９、５００１、帯状疱疹；１５０１、１５４９、１５５１、１６０１、１８３９、１９９９、２００１、静脈洞瘻；１９、２１、５９、７１、９６、１１９、１２１、１２４、６６５、７２６、７３９、７８８、７８９、８８１、静脈洞炎；６６５、７２６、７２８、７４１、７８６、７８８、７９１、８７９、８８１、皮膚（出血）；７８６、７９１、７９９、８０１、４９９９、５００１、９９９９、眠り病；１９、２１、５９、７１、９６、１１９、１２１、１２６、６６７、７２８、７４１、７８８、７９１、８８１、椎間板変位；６６５、７２８、７３９、７８８、７８９、９９９９、１０，００１、天然痘、ほうそう；６６７、７２６、７２７、７２９、７４１、７８６、７８８、７９１、８７９、８８１、におい（欠乏、不足）；１９、２１、５９、７１、９６、１２６、９９９９、１０００１、病的なにおい；６６５、７２８、７３９、７８８、７９１、７９９、８０１、くしゃみ；６６５、７２８、７３９、７８８、７８９、８８１、９９９９、１０００１、咽頭炎；６６５、７２６、７２７、７２９、７３９、７８６、７８８、７８９、８７９、８８１、筋肉のけいれん；１９、２１、５９、７１、９４、１２４、９９９９、１０００１、無意識精液漏；１９、２１、５９、７１、９４、１２４、９９９９、１０００１、脾臓（肥大）；１９、２１、６１、７１、９４、１２６、脊椎炎；７８８、７８９、７９９、８０１、８７９、８８１、１５４９、１５５９、１５６１、１５７１、捻挫、くじき全般；１９、２１、５９、７１、９４、１２６、４９９９、５００１、吃音；１９、２１、５９、７１、９６、１２６、６６５、７２８、７４１、７８８、７９１、８８１、９９９９、１０００１、ブドウ状球菌；７２４、７２６、７２７、７２８、７２９、７３１、７３９、７８８、７９１、８８１、不妊症（予防）；１８３９、１９９９、２００１、２００７、２００９、２１２６、２１２８、２１２９、４９９９、９９９９、胃けいれん；１９、２１、５９、７１、９６、１２６、６６５、７２６、７３９、７８８、７９１、８８１、９９９９、１０００１、腎臓胆嚢の結石；６６５、７２８、７９１、８０１、８８１、９９９９、１０００１、連鎖状球菌；６６７、７２８、７３９、７８８、７９１、８７４、８７６、８７９、８８１、８８４、８８６、発作、卒中、脳溢血；１９、２１、６１、７１、９４、１２６、７８８、７９１、８７９、４９９９、９９９９、１０００１、麦粒腫ものもらい；１９、２１、６１、７１、９４、１２６、７８８、７９１、８７９、４９９９、５００１、９９９９、１０００１、日射病；１９、２１、６１、７１、９４、１２６、９９９９、１０００１、副腎刺激；１９、２１、６１、７１、９４、１２６、４９９９、５００１、外科；６６５、７２６、７２８、７４１、７８６、７８８、７９１、８７９、８８１、５００１、腫れ物（くるぶしより下）；１９、２１、５９、７１、９６、１２６、６６５、７２６、７３９、７８８、７９１、８８１、４９９９、９９９９、１０００１、症候群（全般）；１９、２１、５９、７１、９６、１２６、６６５、７２６、７３９、７８８、７９１、８８１、９９９９、１０００１、梅毒；１９、２１、６１、７３、９６、１２４、５９９、６０１、６２４、６２６、６６７、６９９、７０１、７２８、７４１、７８８、７９１、８８１、９９９９、味覚なし；１９、２１、６１、７３、９６、１２６、９９９９、１０００１、破傷風；５９９、６０１、６６１、６６７、７０１、７２８、７４１、７８８、７９１、８８１、視神経床、室（間脳の一部）；１９、２１、６１、７１、９４、１２６、４９９９、５００１、血栓静脈炎；１４９９、１５０１、１５５１、１６０１、血栓症；１９、２１、６１、７１、９６、１２６、７９１、７９９、８０１、１４９９、１５０１、４９９９、５００１、鵞口瘡；６６５、７２８、７４１、７８８、７９１、８８１、胸腺（全般）；１９、２１、５９、７１、９４、１２６、６６７、７２８、７４１、７８８、７９１、８８１、４９９９、５００１、甲状腺；１９、５９、７１、９６、１２４、１５９、１６１、組織細胞の刺激；６６５、７２６、７３９、７８８、７９１、８８１、１８４１、１９９９、２００１、２９９９、３００１、４９９９、５００１、扁桃腺炎；１９、２１、６１、７３、９６、１２６、６６７、７２８、７４１、７８８、７９９、８０１、８８１、５００１、歯痛；１９、２１、６６７、７２８、７４１、７８８、７９１、８８１、４９９９、有毒反応；１９、６１、７３、９６、１２４、トラコーマ（目の炎症）；７２６、７８８、８８１、精神的外傷；６６５、７２８、７４１、７８６、７９１、８８１、５００１、９９９９、１０００１、結核；１９、２１、６１、７１、９４、１２６、６６７、７２８、７４１、７８８、７９１、７９９、８０１、１４９９、１５０１、１５４９、１５５１、１５９９、１６０１、腫瘍できもの全般；１８４１、１９９７、１９９９、２００７、２００９、２１２６、２１２８、２１２９、腸チフス；１９、２１、６１、７３、９６、１２６、６６７、６８９、６９１、１４９９、１５０１、１５５１、１５６９、１５７１、１６０１、潰瘍；７２６、７７７、７８８、８８１、意識不明、気絶；１９、２１、８０１、５００１、尿道全般的炎症；６６７、７２８、７４１、７８８、７９１、８７９、８８１、じんましん；１８４１、１９９９、２００１、２００７、２００９、ビールス病；７７７、７８８、８０１、８３１、８３９、８８１、１５７１、１９９９、２０５１、２４８８、２４９１、４９９９、いぼ；６６７、７２８、７８６、７８８、１８４１、１９９９、２００１、２００７、２００９、２１２６、２１２８、２１２９、むちうち症；１９、２１、６１、７３、９６、１２６、９９９９、１０００１、黄熱病；１９、２１、６１、７３、９６、８７９、８８１、９９９９、１０００１。
【００９０】
前記選択信号出力部２４は、操作者が、例えば前述の膿瘍、腫物の場合は番号００１、腹痛の場合は００２、にきびの場合は００４等のように病名に応じた指示信号を手操作入力部３０から入力することによって、対応する複数種類の周波数情報を前記メモリー部２２から読み出して、出力するようにされている。
【００９１】
なお、この波動電流印加装置１０において、治療電極１４、不関電極１６間に印加される電圧は最大３０Ｖ、電流は最大５０ｍＡであり、これは人体（細胞を含む）に損傷を与えるような電流値及び電圧値未満である。
【００９２】
通電時間は、各周波数毎に、例えば３分とし、原則として周波数を切換える際の休止時間は不要であるが、適当に設けてもよい。又、各３分の通電時間は多少は増減してもよい。
【００９３】
治療に際しては、例えば病名膿瘍、腫物の場合、患部に前記治療電極１４を、又、この治療電極１４の反対側から患部を挟み込むように、不関電極１６をはり付けて通電する。腹痛の場合は、胃あるいは腸の前側及び背中側の皮膚に治療電極１４及び不関電極１６をはり付けて、患部を挾み込むようにして通電する。
【００９４】
疾病の何種類かは、脊柱の歪み即ち脊柱両側の筋肉の異常、アンバランスによるものが多く、この場合は図３に示されるように患者Ｐの頸部後側及び仙骨上部後側に電極１４、１６をはり付けて通電する。
【００９５】
又、足のつま先から臍下部までの部分の治療に際しては、図４に示されるように、２つの水槽３１Ａ、３１Ｂに微温湯を入れて、ここに少量の食塩等の電解質を溶かして通電抵抗を低減させた上、これら２つの水槽３１Ａ、３１Ｂに患者Ｐの左右の足のつま先から踵の部分を入れて、且つ治療電極１４及び不関電極１６を別々の水槽に投入して通電する。全身の重篤な患者及び慢性の疾病の場合は、両脚を一緒に一つの脚槽に入れ、一方の電極を挿入し他方の電極を首部に装着させて、大量の電子を身体内に通貫させる。
【００９６】
又、図５のように、患部の両手と両脚を別個の水槽３１Ｃ、３１Ｄに入れて、図４の場合と同様に、食塩等を溶かした微温湯を満たし、治療電極１４及び不関電極１６を別個にこれらの水槽３１Ｃ、３１Ｄに投入して通電するようにしてもよい。この場合患者Ｐは椅子３１Ｅに腰かけて治療する。
【００９７】
本発明者は、各疾病毎の治療に先立って、酸性に傾いている体液のＰＨを基礎的治療により弱アルカリにすると、治療効果を大幅に増大できることを発見した。
【００９８】
この基礎的治療は、図６に示されるように、治療電極１４又は不関電極１６の一方を水槽３１に投入し、患者Ｐの両脚を該水槽３１に入れ、他方を、患者Ｐの道の後側に貼着して通電するものである。前記水槽３１には食塩等を満した微温湯を満たす。
【００９９】
電流の周波数は、１９、６１、９６、１２４、６６７、７２６、７４１、７８６、７９１、８７９、及び１０００１Ｈｚであり、この順で電極１４、１６間に通電する。
【０１００】
この基礎的治療が終ったら、続けて、患者Ｐの疾病に対応する対応する周波数の電流による治療がなされる。
【０１０１】
この場合、周波数は、前記基礎治療のための周波数の一部又は全部共通することもあり、全く異なることもある。又、電極１４、１６の患者Ｐへの貼着部位も、基礎的治療と同一あるいは異なる場合もある。
【０１０２】
治療例によれば、例えば難聴の場合、左右の耳の間に通電するが、従来聞き取りが困難であった比較的高音が聞き取れるようになった。又、左右のこめかみの間に通電すると、視力が回復するという結果が得られた。
【０１０３】
更に、前述の、膿瘍、腹痛にきび等のほかに、ぜん息、貧血性、関節炎、虫垂炎・盲腸炎・肺炎、低血圧、熱傷、腎炎、高血圧、便秘、肪胱炎、がん等の、３２５種類の疾病に全て有効であった。
【０１０４】
このように、波動側から順次周波数を高くして治療することによる効果は、確定的にその理由を説明することはできない。
【０１０５】
但し、次のような理由が推測できる。
【０１０６】
まず、全ての細胞はその細胞膜に多数のイオンチャネルを備えているが、細胞膜が硬化すると、このイオンチャネルが閉ざされ、細胞膜内外の、例えばカルシウムイオン、ナトリウムイオン、カリウムイオン等のイオンの出入りが不可能あるいは極端に低下する。この場合、いわゆるイオンチャネル性疾患となることが多い。なお細胞膜の硬化は、例えば活性酸素によって細胞膜が損傷されると、発生する。
【０１０７】
又、人体の各種体液中の水分子は、水素結合により、理論的には最小６個、最大で１００個以上連結していわゆるクラスターを構成しているが、体液中の電子（マイナスイオン）が減少してくるとクラスターが大きくなってくる。
【０１０８】
このように水分子のクラスターが大きいと、前記細胞膜のイオンチャネルが正常であっても、これを通過できないことになり、前述のイオンチャネル性疾患と同じ結果となる。
【０１０９】
実際にも、人体腫瘍細胞の細胞内液のクラスターが、正常細胞の場合よりも大きいことが報告されている。
【０１１０】
更には、いわゆるカルシウムパラドックスと称される生化学現象によって、血中カルシウム濃度が低下したとき骨からカルシウムが溶出され、これがホルモンによって細胞に押込まれ、細胞はいわゆるカルシウム毒によって硬化する。カルシウムは生命活動にとって不可欠な重要なミネラルであるが、血中に、余分に溶出した分は、かえって有害である。
【０１１１】
更に、筋肉細胞においては、筋収縮のトリガとしてカルシウムイオンが入り込むが、筋肉細胞の激しい運動によって乳酸が発生すると、この乳酸にカルシウムが結合して乳酸カルシウムとなり、これが筋肉細胞を硬化させてしまう。
【０１１２】
又、動脈内壁は平滑筋細胞によって構成されているが、この平滑筋細胞にカルシウムが付着すると硬化し、動脈の弾力性を維持することが不可能となるので、硬化した細胞の内側に更に新しい平滑筋が発生し、これが順次繰返されることによって、血管内の断面積が小さくなるいわゆる動脈硬化症を発生することが知られている。
【０１１３】
これらの硬化した細胞でも、電流を通すと当然収縮する。又これが交流であれば、収縮と復帰を繰返すことが考えられる。このとき、硬化した細胞は全ての周波数の電流に対応して伸縮するのではなく、特定の周波数に応じて収縮する。
【０１１４】
対応する周波数は、強く硬化している細胞ほどその柔軟性がないために周波数が低くなる。従って、例えば２１Ｈｚの電流を付与することによって、硬化した細胞がこれと共振するように振動し、この振動の際に、細胞膜の硬化がほぐれていくらかの柔軟性を取戻す。従って、例えば２１Ｈｚで３分間電流が印加された細胞は、その柔軟性を僅かに回復することによって、少し高い周波数、例えば６１Ｈｚの電流に共振するようになる。
【０１１５】
このようにして、波動側から順次周波数を高くしていくことによって細胞の共振周波数を高くし、最終的には、細胞の本来の柔軟性を取戻すことによって、各種イオンチャネルが開かれて、正常な細胞の活動が可能となり、これが疾病を治癒させると考えられる。
【０１１６】
又、前述のように水分子の大きなクラスターに電流を通すと、細胞膜のイオンチャネルにも通過できる程度にクラスターが小さくなり、細胞が正常化することも考えられる。
【０１１７】
他に、特定周波数の電流によって、生体の各種細胞やＤＮＡに何らの障害を与えることなく、人体内に侵入しているウイルスやバクテリアを殺滅することができるからとも考えられる。
【０１１８】
即ち、ウイルスやバクテリアはクラスタゴブレット（膠質膜）により囲まれているが、生体の組織細胞や、血球はこのようなクラスタゴブレットを有していないので、クラスタゴブレットのみを破壊する周波数を選択することによって、生体に障害を与えることなく、ウイルスやバクテリアを殺滅することができる。又、この場合クラスタゴブレットが破壊されたウイルスやバクテリアは再生、転移が不可能であり、破壊されない場合でも耐性を作らない。
【０１１９】
更に、６５９、６６１、７３９、７４１、８９１、１８３９、１８４１、１９９７、１９９９、４９９９、５００１、９９９９、及び１０００１Ｈｚの各周波数の電流は、身体がリラックスして心地よくなり、オキシトシンホルモンの分泌が盛んになり、脳波のアルファ波成分が多くなり、病気に対する苦痛を和げ、又、人体の活力を増大させ、細胞を若返らせるという効果も考えられる。
【０１２０】
なお、本波動治療装置１０によって治療する場合、その１２時間〜２４時間前に重曹（重炭酸ソーダ）の水溶液を摂取しておくと効果が非常に大きかった。これは、治療によって細胞膜から振り落されたカルシウムが重炭酸ソーダにおける炭酸基と結合して炭酸カルシウムになって排泄されるからとも考えられる。
【０１２１】
又治療時間及び回数は、平均７２時間間隔で連続的に、少なくとも５回することが有効であり、又重篤な患者及び慢性で衰弱した患者の初回治療時には、１０００Ｈｚを越えない周波数を用いるのが好適であった。
【０１２２】
ここで、前記波動治療装置における発振周波数は、１４〜１０００１Ｈｚとされているが、その根拠は次の如くである。
【０１２３】
まず、従来の波動治療器においては、変性を起こした神経、筋肉に対しては、例えば数秒間に１回の通電で、しかもその通電期間の長い波形の刺激が要求されているが、これは、細胞そのものではなく、細胞の塊りとしての筋肉等に刺激を与えるものであり、実際の個々の細胞に刺激を与えるには、１４Ｈｚ以上でなければならないと考えられる。
【０１２４】
又、１０００１Ｈｚ以下と限定したのは、人体に対する安全性を考慮すると共に、前述のように、１０００１Ｈｚの電流が、身体をリラックスさせたりする等の効果があるからである。
【０１２５】
実験によれば、治療時に、順次周波数を高くしていき、最終の周波数が５００１Ｈｚ又は１０００１Ｈｚの場合、５９９９Ｈｚと５００１Ｈｚ、又は、９９９９Ｈｚと１０００１Ｈｚとすることによって治療効果を増大させることができた。
【０１２６】
又、例えば動脈瘤の場合、最波動数を１９Ｈｚと２１Ｈｚ、最高周波数の４９９９Ｈｚと５００１Ｈｚをすることによって、やはり治療効果の増大をみることができた。
【０１２７】
図７に示されるように、本発明の実施の形態の第２例に係る波動治療装置４０は、図１の波動治療装置１におけると同一の低周波の低電流を発生する発振器１２と、この発振器１２から出力される電流が印加されるべき複数の発振コイル４２と、を備えて構成されている。
【０１２８】
前記発振コイル４２は人体の治療すべき部位に接近して配置されるものであり、前記各発振コイル４２は、図２に示されるように、扁平な鉄心４５Ａにコイル１５Ｂを巻き付けて構成され、例えば図３に示されるように、ベッド４６上の患者Ｐが仰臥したときにその背骨の両側、後頸部、腰部等の近傍となる位置に配置される。
【０１２９】
又、発振コイル４２は、その鉄心４５Ａの軸線がベッド４６の上面と直角になるように、ベッド４６上にセットされる。
【０１３０】
この場合、発振コイル４２は、ベッドパット、マット等にその上端が突出しないように埋め込んで配置し、シーツを被せてもよい。
【０１３１】
前記発振器１２は、前記実施の形態の第一例と同一であるので説明は省略する。
【０１３２】
なお、この波動治療装置４０において、発振部２０の出力が、前記発振コイル４２による電磁場内の人体表皮部位での電圧が最大３０Ｖ、電流が最大５０ｍＡとなるようにされている。これは人体（細胞を含む）に損傷を与えるような電流値及び電圧値未満である。
【０１３３】
通電時間も、前記波動治療装置１と同じである。
【０１３４】
疾病の何種類かは、脊柱の歪み即ち脊柱両側の筋肉の異常、アンバランスによるものが多く、この場合は図９に示されるように、仰臥した患者Ｐの頸部後側及び仙骨上部後側に発振コイル４２が位置するようにして電磁波を発振させる。
【０１３５】
患者Ｐは着衣のままでよいが、時計、ベルト等の金属類は取脱す。又、ペースメーカを使用している場合は、その周囲を防磁シートにより電磁シールドを施すとよい。
【０１３６】
例えば病名膿瘍、腫物の場合、患部の背中側にベッド４６上の発振コイル４２を、又、反対側（腹側）から患部を挟み込むように、他の独立した発振コイル４２（図３の２点鎖線参照）を配置して発振させる。腹痛の場合は、胃あるいは腸の前側に発振コイル４２を、背中側に発振コイル４２を配置して、患部を挾み込むようにして発振する。
【０１３７】
前述のように、各疾病毎の治療に先立って、酸性に傾いている体液のＰＨを基礎的治療により弱アルカリにすると、治療効果を大幅に増大できる。
【０１３８】
この基礎的治療は、図１０に示されるように、患者Ｐの背中全体が、発振コイル４２の電磁場に暴露されるようにする。
【０１３９】
この基礎的治療が終ったら、続けて、患者Ｐの疾病に対応する対応する周波数の電磁波による治療がなされる。
【０１４０】
この場合、周波数は、前記基礎治療のための周波数の一部又は全部共通することもあり、全く異なることもある。又、患者Ｐに対する発振コイル４２の位置も、基礎的治療と同一あるいは異なる場合もある。
【０１４１】
治療例によれば、例えば難聴の場合、左右の耳に電磁波を放射するが、従来聞き取りが困難であった比較的高音が聞き取れるようになった。又、左右のこめかみに電磁波を放射すると、視力が回復するという結果が得られた。
【０１４２】
更に、前述の、波動治療装置による場合と同様、膿瘍、腹痛にきび等のほかに、ぜん息、貧血性、関節炎、虫垂炎・盲腸炎・肺炎、低血圧、熱傷、腎炎、高血圧、便秘、肪胱炎、がん等の、多くの種類の疾病に全て有効であった。
【０１４３】
前記実施の形態の例に係る波動治療装置４０は、ベッド４６に取付けられた発振コイル４２や、この発振コイル４２から独立して自由な位置に設置できるようにされた発振コイル４４Aを用いているが、本発明はこれに限定されるものでなく、例えば、図１１に示される低周波治療装置５０のように、ベッド４６及びこの上の患者Ｐを被うようにした電磁シールド材料からなる開閉自在の蓋５２をベッド４６上に設け、この蓋５２の内側の適宜位置にも発振コイル４２を取付けるようにしてもよい。
【０１４４】
又、この波動治療装置５０においては、蓋５２が電磁シールド材料から構成されているので、発振コイル４２、４４Aからの電磁波が外部に漏れて周囲の電気機器に障害を与えたりすることがない。
【０１４５】
更に、前記発振コイル４２、４４Aは個別にベッド４６や蓋５２に取付けられたりするものであるが、これは、例えば図１２に示されるように、複数の発振コイル４４Ｂを可撓性のある合成樹脂、レザー、厚地の布、等の支持体５４に取付けて用いるようにしてもよい。
【０１４６】
更に、前記発振コイル４４Ａ、４４Ｂは、前述の如く、偏平な鉄芯４５Ａにコイル４５Ｂを巻き付けて構成されているが、本発明はこれに限定されるものでなく、例えば図１３に示されるように、Ｕ字型鉄芯５６にコイル４５Ｃを巻き付けて構成してもよい。
【０１４７】
この場合、Ｕ字型鉄心５６の２つの先端５６Ａ、５６Ｂ間に電磁波が形成され、患者Ｐの表皮がこの先端５６Ａ、５６Ｂ間の電磁波内に入り込むようにしてセットする。
【０１４８】
更に、図１４に示されるように、患者Ｐの患部を挟み込む一対のコイル５８Ａ、５８Ｂを直列に接続し、コイル５８Ａ、５８Ｂ間に直線上の電磁波が形成されるようにしてもよい。
【０１４９】
次に、図１５に示される、本発明の実施の形態の第３例に係る波動治療装置６０について説明する。
【０１５０】
この波動治療装置６０は、前記図１の波動治療装置１０及び図７の波動治療装置４０におけると同一の発振器１２と、この発振器１２から出力される電流によって、出力電流を同一周波数の音波を発生する音波発振器６２と、を含んでなり、この音波発振器６２は、図１６に示されるようにヘッドフォンからなり、患者Ｐの両耳に所定の振動数の音波を注入できるようにされている。
【０１５１】
前記発振器１２は、前記実施の形態の第１例及び第２例と同一であるので、説明は省略する。
【０１５２】
この波動治療装置６０の場合も、疾病の種類に応じて、対応する複数種類の周波数情報をメモリー部２２から読み出して、その周波数の音波を音波発振器６２から、患者Ｐの耳に注入する。
【０１５３】
このように、前記波動治療装置１０、４０における低周波電流及び電磁波と同一の周波数の音波を患者Ｐに注入した場合も、前記波動治療装置１０、４０におけると同様の治療効果を得ることができた。
【０１５４】
この波動治療装置６０においては、特に、前記波動治療装置１０、４０におけると異なり、患部を挟み込んだりすることなく、患者の耳に所定周波数の音波を注入することのみによっても、治療効果を得ることができたことに特徴がある。
【０１５５】
又、患者Ｐに所定周波数の音波を注入するに際して、いわゆるボディソニックと称される、人体の表皮から直接音波を注入するようにしてもよい。
【０１５６】
この場合は、例えば図１７に示されるように、患者Ｐをボディソニック装置６４上に仰臥させ、患者の背中等から音波を注入するとよい。
【０１５７】
なお、このボディソニック装置６４と、前記音波発振器６２とを併用し、同一周波数の音波を、ボディソニック装置６４からは患者の導体に、又音波発振器６２からは患者の耳に、それぞれ同期して注入するようにしてもよい。
【０１５８】
次に、図１８に示される本発明の実施の形態の第４例に係る波動治療装置７０について説明する。
【０１５９】
この波動治療装置７０は、発振器１２と、図１に示される治療電極１４、１６と、発振コイル４４及／又は４４Aと、音波発振器６２及び／又はボディソニック装置６４を備え、治療電極１４、不関電極１６から低周波電流を患部に直接注入したり、発振コイル４４及び／又は４４Aから電磁波を患者Pに注入したり、前記音波発振器６２及び／又はボディソニック装置６４から音波を注入したり、又はこれらを同時に注入したりすることができるようにしたものである。
【０１６０】
即ち、この波動治療装置７０は、低周波電流印加装置、電磁波印加装置、及び、音波印加装置を兼ね備え、患者の状態に応じてこれらを別個にあるいは同時に用いて治療を行うようにされている。
【０１６１】
例えば、治療電極１４及び不関電極１６から低周波電流を患者Ｐに注入すると同時に、音波を同時に注入することができる。
【０１６２】
この場合、図１９に示されるように、前記治療電極１４及び不関電極１６の一方又は両方が音波発振器を兼ねるようにすると、より効率的に治療を行うことができる。
【０１６３】
次に、図２０を参照して、本発明の実施の形態を第４例に係る波動治療装置８０について説明する。
【０１６４】
この波動治療装置８０は、通信回線を介して制御するようにしたものであり、前記図１、図７、図１５、図１８の波動治療装置１０、４０、６０、７０における周波数制御装置１８に相当する部分を外部制御装置８４として、例えば発振器８８から離れた位置に設けられたコンピュータとして、この外部制御装置８４から通信回線８６を介して、発振周波数及び発振時間を制御できるようにしたものである。
【０１６５】
外部制御装置８４は、コンピュータからなり、メモリー部８４A、選択信号出力部８４B、手操作入力部８４Cを備えている。
【０１６６】
又、発振器８８は、高周波発振器８８Aと周波数変換部８８Bとを備えてなり、その制御信号がＩ／Ｏインタフェース９０Bを介して通信回線８６から入力されるようになっている。
【０１６７】
前記外部制御装置８４と通信回線８６もＩ／Ｏインタフェース９０Aを介して接続されている。
【０１６８】
この波動治療装置８０の使用方法は次の如くである。
【０１６９】
まず、利用者（患者又はオペレータ）は、通信回線８６を通じて、外部制御装置８２の操作者（医師又はその補助者）に病名を告げて、波動治療を要請する。
【０１７０】
低周波治療の場合、操作者は、病名に応じて、患者に対する治療電極１４及び不関電極１６の取付け位置を指示し、しかるのち、手操作入力部８４Cから、病名を応じたコード番号、例えば前述の動脈硬化症の場合はナンバー００１を入力する。
【０１７１】
患者側の発振器８８は、予め電話回線８６を介して外部制御装置８４により起動状態とされていて、手操作入力部８４Cへの入力によって、メモリー部８４Ａから病名に対応した周波数を順次読み出し、選択信号出力部８４Ｂから、患者側の発振器８８における周波数変換部８８Bを制御する。
【０１７２】
このようにして、病名に応じた所定の周波数を、設定時間毎に低周波側から順次選択して、治療電極１４と不関電極１６間に出力させる。
【０１７３】
所定の治療時間が経過した後は、外部制御装置８４は通信回線８６を介して発振器８８を停止させる。
【０１７４】
上記のような治療システムは、本発明の波動治療に用いる周波数が、更なる研究により変更あるいは追加され、又新たな疾病に対して、対応する周波数が決定された場合に、患者側の波動治療装置の個別のメモリー部を更新する必要がないという利点がある。
【０１７５】
又、患者又はその補助者からの情報、問合せに対して、医師又は熟練した操作者が常に適切な対応をとることができ、患者又はその補助者の独善的な使用を防止することができるという効果がある。
【０１７６】
治療電極１４及び不関電極１６の取付け位置、発振コイル４４、４４Aの設置位置、音波の印加位置に関しては、図２０に２点鎖線で示されるように、発振器８８の他にディスプレイ９２を設け、ここに、病名を対応した取付け位置の画像を外部制御装置８４側の画像メモリー部９４から読み出して表示するようにしてもよい。
【０１７７】
なお、上記実施の形態の例は人間の治療方法及び装置に関するものであるが、本発明はこれに限定されるものでなく、本発明者の実験によれば、哺乳動物、例えば、犬、猫、馬、牛、豚等の家畜にも前記周波数の波動を印加することにより人間と同様の治療効果を得ることができた。
【図面の簡単な説明】
【０１７８】
【図１】本発明の実施の形態の第一例に係る波動治療装置を示すブロック図である。
【図２】同波動治療装置のメモリー部における記憶内容を示すテーブルである。
【図３】同波動治療装置による治療状態を示す側面図である。
【図４】同波動治療装置による治療状態を示す斜視図である。
【図５】同他の治療状態を示す略示側面図である。
【図６】基礎的治療の状態を示す斜視図である。
【図７】本発明の実施の形態の第２例に係る波動治療装置を示すブロック図である。
【図８】同波動治療装置における発振コイルを拡大して示す断面図である。
【図９】同波動治療装置における発振コイルの配置を示す側面図である。
【図１０】基礎的治療の状態を示す平面図である。
【図１１】同波動治療装置の使用形態の例を示す断面図である。
【図１２】波動治療装置における発振コイルの他の形態の例を示す斜視図である。
【図１３】更に他の形態の発振コイルを示す斜視図である。
【図１４】更に又他の形態の発振コイルを示す側面図である。
【図１５】本発明の実施の形態の第３例に係る波動治療装置を示すブロック図である。
【図１６】同波動治療装置における音波発振器の使用状態を示す正面図である。
【図１７】同低周波治療装置における音波発振器をボディソニック装置とした状態を示す斜視図である。
【図１８】本発明の実施の形態の第４例に係る波動治療装置を示すブロック図である。
【図１９】同第４例の波動治療装置における音波発振子を兼ねる電極を示す斜視図である。
【図２０】本発明の実施の形態の第５例に係る波動治療装置を示すブロック図である。
【符号の説明】
【０１７９】
１、４０、５０、６０、７０、８０…波動治療装置
１０…低周波電流印加装置
１２…発振器
１４…治療電極
１６…不関電極
１８…周波数制御装置
２０…発振部
２２…メモリー部
２４…選択信号出力部
２６…高周波発振器
２８…周波数変換部
４２、４４Ａ、４４Ｂ…発振コイル
５８Ａ、５８Ｂ…コイル
６２…音波発振器
６４…ボディソニック装置
８４…外部制御装置
８４Ａ…メモリー部
８４Ｂ…選択信号出力部
８４Ｃ…手操作入力部
８６…通信回線
８８…発振器
【図１】
2005230567.tif 000003
【図２】
2005230567.tif 000004
【図３】
2005230567.tif 000005
【図４】
2005230567.tif 000006
【図５】
2005230567.tif 000007
【図６】
2005230567.tif 000008
【図７】
2005230567.tif 000009
【図８】
2005230567.tif 000010
【図９】
2005230567.tif 000011
【図１０】
2005230567.tif 000012
【図１１】
2005230567.tif 000013
【図１２】
2005230567.tif 000014
【図１３】
2005230567.tif 000015
【図１４】
2005230567.tif 000016
【図１５】
2005230567.tif 000017
【図１６】
2005230567.tif 000018
【図１７】
2005230567.tif 000019
【図１８】
2005230567.tif 000020
【図１９】
2005230567.tif 000021
【図２０】
2005230567.tif 000022